(57)【要約】【課題】複製によるアクセスが困難な通信を可能とする情報処理装置、通信機器、サーバ装置及び情報処理方法を提供すること。【解決手段】情報処理装置は、通信部と、近距離無線通信部と、制御部とを具備する。上記通信部は、データストレージ部を有するサーバ装置と通信を行う。上記近距離無線通信部は、上記データストレージ部のエリアを特定する識別子又は上記データストレージ部へのアクセスの権限を示す識別子と、自身を識別する通信機器識別子とを有する通信機器と、近距離無線通信を行う。上記制御部は、上記近距離無線通信部に、上記エリア特定識別子又は上記アクセスの権限を示す識別子と、上記通信機器識別子とを取得させ、上記通信部に、上記エリア特定識別子又は上記アクセスの権限を示す識別子と、上記通信機器識別識別子を上記サーバ装置へ送信させ上記データストレージ部へのアクセス許可の要求をする。【選択図】図１
2019039108.tif 000002
【特許請求の範囲】
【請求項１】
データストレージ部を有するサーバ装置と通信を行う通信部と、
前記データストレージ部のエリアを特定する識別子又は前記データストレージ部へのアクセスの権限を示す識別子と、自身を識別する通信機器識別子とを有する通信機器と、近距離無線通信を行う近距離無線通信部と、
前記近距離無線通信部に、前記エリア特定識別子又は前記アクセスの権限を示す識別子と、前記通信機器識別子とを取得させ、前記通信部に、前記エリア特定識別子又は前記アクセスの権限を示す識別子と、前記通信機器識別子を前記サーバ装置へ送信させ前記データストレージ部へのアクセス許可の要求をする制御部と
を具備する情報処理装置。
【請求項２】
請求項１に記載の情報処理装置であって、
前記制御部は、前記通信部に、前記サーバ装置により付与された前記情報処理装置又は情報処理装置のユーザを識別する識別子を取得させ、前記近距離無線通信部に、前記エリア特定識別子又は前記アクセスの権限を示す識別子と、前記通信機器識別子と、前記情報処理装置又はユーザを識別する識別子とを前記サーバ装置へ送信させ前記データストレージ部へのアクセス許可の要求をする
情報処理装置。
【請求項３】
請求項２に記載の情報処理装置であって、
前記アクセスの権限には、前記通信機器を用いて最初に前記データストレージ部へアクセスした第１の情報処理装置のみによる前記データストレージ部へのアクセス許可と、前記通信機器を用いて２回目以降に前記データストレージ部へアクセスした前記第１の情報処理装置とは異なる第２の情報処理装置と、前記第１の情報処理装置とによる前記データストレージ部へのアクセス許可とがある
情報処理装置。
【請求項４】
請求項２に記載の情報処理装置であって、
前記アクセスの権限には、前記通信機器を用いて最初に前記データストレージ部へアクセスした情報処理装置の第１のユーザのみによる前記データストレージ部へのアクセス許可と、前記通信機器を用いて２回目以降に前記データストレージ部へアクセスした第１のユーザとは異なる第２のユーザと前記第１のユーザとによる前記データストレージ部へのアクセス許可とがある
情報処理装置。
【請求項５】
請求項４に記載の情報処理装置であって、
前記情報処理装置がアクセス可能な前記データストレージ部のエリアは、前記エリア特定識別子又は前記アクセスの権限を示す識別子と、前記通信機器識別子とにより特定される
情報処理装置。
【請求項６】
請求項５に記載の情報処理装置であって、
データを記憶するデータ記憶部を更に具備し、
前記制御部は、前記通信部に、前記エリア内に公開レベルを設定したデータ保存場所を作成する要求を前記サーバ装置へ送信させ、前記要求を基に前記サーバ装置により作成された前記データ保存場所への前記データの保存の実行を制御する
情報処理装置。
【請求項７】
請求項６に記載の情報処理装置であって、
前記制御部は、前記通信部に、前記データ保存場所に設定する公開レベル情報を前記サーバ装置へ送信させる
情報処理装置。
【請求項８】
請求項７に記載の情報処理装置であって、
表示部を更に具備し、
前記制御部は、前記データ保存場所に保存されたデータの前記表示部への表示の実行を制御する
情報処理装置。
【請求項９】
請求項８に記載の情報処理装置であって、
前記近距離無線通信は、ＮＦＣ通信である
情報処理装置。
【請求項１０】
情報処理装置と近距離無線通信を行う通信アンテナと、
前記情報処理装置がアクセス可能なサーバ装置のデータストレージ部のエリアを特定するために用いられる前記データストレージ部のエリアを特定する識別子又は前記データストレージ部へのアクセスの権限を示す識別子と、自身を識別する通信機器識別子とを有するＩＣチップと
を具備する通信機器。
【請求項１１】
請求項１０に記載の通信機器であって、
一方の面に粘着材層を有するラベルシールを更に具備し、
前記ラベルシールの中に前記通信アンテナと前記ＩＣチップとが組み込まれる
通信機器。
【請求項１２】
請求項１１に記載の通信機器であって、
前記ラベルシールの他方の面は前記データストレージ部へのアクセスの権限を示す識別子に対応する図柄を備える
通信機器。
【請求項１３】
請求項１１に記載の通信機器であって、
前記ラベルシールの他方の面は前記データストレージ部に保存されるデータの内容に関連する図柄を備える
通信機器。
【請求項１４】
データを保存するデータストレージ部と、
前記データストレージ部のエリアを特定する識別子又は前記データストレージ部へのアクセスの権限を示す識別子と、自身を識別する通信機器識別子とを有する通信機器と近距離無線通信を行う情報処理装置を介して、前記エリア特定識別子又は前記アクセスの権限を示す識別子と、前記通信機器識別子を受信する受信部と、
前記データストレージ部へのアクセス許可の要求を前記情報処理装置から受信し、前記エリア特定識別子又は前記アクセスの権限を示す識別子と、前記通信機器識別子とを基に、前記情報処理装置による前記データストレージ部へのアクセスを制御する制御部と
を具備するサーバ装置。
【請求項１５】
請求項１４に記載のサーバ装置であって、
前記情報処理装置からの要求により、前記情報処理装置又は前記情報処理装置のユーザに対して付与する前記情報処理装置又は前記ユーザを識別する識別子を生成する識別子生成部
を更に具備し、
前記受信部は、前記情報処理装置を識別する識別子が付与された前記情報処理装置から前記情報処理装置識別子、又は、前記ユーザを識別する識別子が付与された前記ユーザにより入力された前記ユーザ識別子を受信し、
前記制御部は、前記エリア特定識別子又は前記アクセスの権限を示す識別子と、前記通信機器識別子と、前記情報処理装置識別子又は前記ユーザ識別子とを基に、前記情報処理装置による前記データストレージ部へのアクセスを制御する
を具備するサーバ装置。
【請求項１６】
請求項１５に記載のサーバ装置であって、
前記エリア特定識別子又は前記アクセスの権限を示す識別子と、前記通信機器識別子とにより、前記データストレージ部の前記情報処理装置によるアクセスが可能なエリアが特定される
サーバ装置。
【請求項１７】
請求項１６に記載のサーバ装置であって、
前記データストレージ部へのアクセスを要求する情報処理装置が、前記通信機器を用いて最初に前記データストレージ部へアクセスした第１の情報処理装置であるか、又は、前記通信機器を用いて２回目以降に前記データストレージ部へアクセスした前記第１の情報処理装置以外の第２の情報処理装置であるかを確認する確認部
を更に具備するサーバ装置。
【請求項１８】
請求項１６に記載のサーバ装置であって、
前記データストレージ部へのアクセスを要求する情報処理装置のユーザが、前記通信機器を用いて最初に前記データストレージ部へアクセスした情報処理装置の第１のユーザであるか、又は、前記通信機器を用いて２回目以降に前記データストレージ部へアクセスした前記第１のユーザとは異なる第２のユーザであるかを確認する確認部
を更に具備するサーバ装置。
【請求項１９】
サーバ装置のデータストレージ部のエリアを特定する識別子又は前記データストレージ部へのアクセスの権限を示す識別子と、自身を識別する通信機器識別子とを有する通信機器から、近距離無線通信により、前記エリア特定識別子又は前記アクセスの権限を示す識別子と、前記通信機器識別子を取得し、
前記エリア特定識別子又は前記アクセスの権限を示す識別子と、前記通信機器識別子とを前記サーバ装置に送信し、前記データストレージ部へのアクセスを要求する
情報処理方法。
【請求項２０】
情報処理装置が、サーバ装置のデータストレージ部のエリアを特定する識別子又は前記データストレージ部へのアクセスの権限を示す識別子と、自身を識別する通信機器識別子とを有する通信機器と近距離無線通信をして取得した前記エリア特定識別子又は前記アクセスの権限を示す識別子と、前記通信機器識別子とを、前記情報処理装置から取得し、
前記エリア特定識別子又は前記アクセスの権限を示す識別子と、前記通信機器識別子とに基づいて、前記データストレージ部への前記情報処理装置のアクセスを許可するか否かを判定する
情報処理方法。
【発明の詳細な説明】
【技術分野】
【０００１】
本技術は、近距離無線通信を利用した情報処理装置、通信機器、サーバ装置及び情報処理方法に関する。
【背景技術】
【０００２】
近年、非接触式ＩＣ（Integrated  Circuit）カードや、非接触式ＩＣチップを搭載した携帯電話など、リーダ／ライタ（または、リーダ／ライタ機能を有する情報処理装置）と非接触式に通信可能な情報処理端末が普及している。【０００３】
また、近年、例えば、ＱＲコード（登録商標）、Ｄａｔａ  Ｍａｔｒｉｘ（登録商標）などのような二次元コードを読み取る機能が携帯電話などの情報処理端末に搭載されている。このような情報処理端末では、例えば二次元コードに記録されるＵＲＬデータなどの情報を取得することによって情報処理端末のユーザがＵＲＬなどを入力する手間を省かせることができる（例えば特許文献１及び２参照。）。
【先行技術文献】
【特許文献】
【０００４】
【特許文献１】再公表特許ＷＯ２００５−０６２１８６号公報
【特許文献２】特開２０１３−１８６８０４号公報
【発明の概要】
【発明が解決しようとする課題】
【０００５】
例えばＱＲコードは、明色セル及び暗色セルを二次元状に配列することでデータを表現しているために複製が容易であり、オリジナルのＱＲコードに直接アクセスする以外に、複製されたＱＲコードにアクセスすることも可能である。【０００６】
以上のような事情に鑑み、複製によるアクセスが困難な通信を可能とする情報処理装置、通信機器、サーバ装置及び情報処理方法を提供することにある。
【課題を解決するための手段】
【０００７】
上記目的を達成するため、本技術に係る情報処理装置は、通信部と、近距離無線通信部と、制御部とを具備する。
上記通信部は、データストレージ部を有するサーバ装置と通信を行う。
上記近距離無線通信部は、上記データストレージ部のエリアを特定する識別子又は上記データストレージ部へのアクセスの権限を示す識別子と、自身を識別する通信機器識別子とを有する通信機器と、近距離無線通信を行う。
上記制御部は、上記近距離無線通信部に、上記エリア特定識別子又は上記アクセスの権限を示す識別子と、上記通信機器識別子とを取得させ、上記通信部に、上記エリア特定識別子又は上記アクセスの権限を示す識別子と、上記通信機器識別識別子を上記サーバ装置へ送信させ上記データストレージ部へのアクセス許可の要求をする。【０００８】
このような構成によれば、通信機器は近距離無線通信をするように構成されているので複製が困難である。また、通信機器と情報処理装置とが近距離無線通信をしなければ情報処理装置によるデータストレージ部へのアクセスができないように構成されているので、情報処理装置のユーザの手元に通信機器がないとデータストレージ部へのアクセスができない。これにより、物理的に情報処理装置によるデータストレージ部へのアクセスが制限されるので、データストレージ部に保存されるデータ情報の漏えいリスクを抑制することができる。【０００９】
上記制御部は、上記通信部に、上記サーバ装置により付与された上記情報処理装置又は情報処理装置のユーザを識別する識別子を取得させ、上記近距離無線通信部に、上記エリア特定識別子又は上記アクセスの権限を示す識別子と、上記通信機器識別子と、上記情報処理装置又はユーザを識別する識別子とを上記サーバ装置へ送信させ上記データストレージ部へのアクセス許可の要求をしてもよい。【００１０】
このように情報処理装置を識別する識別子又はユーザを識別する識別子を用いてアクセス許可の要求がなされるので、情報処理装置毎又はユーザ毎のアクセスの制限を制御することが可能となる。【００１１】
上記アクセスの権限には、上記通信機器を用いて最初に上記データストレージ部へアクセスした第１の情報処理装置のみによる上記データストレージ部へのアクセス許可と、上記通信機器を用いて２回目以降に上記データストレージ部へアクセスした上記第１の情報処理装置とは異なる第２の情報処理装置と、上記第１の情報処理装置とによる上記データストレージ部へのアクセス許可とがあってもよい。【００１２】
これにより、第１の情報処理装置のユーザのみが通信機器を用いてデータストレージ部にアクセスできるか、第１の情報処理装置のユーザを含む誰もが通信機器を用いてデータストレージ部にアクセスできるかが判別可能となる。【００１３】
上記アクセスの権限には、上記通信機器を用いて最初に上記データストレージ部へアクセスした情報処理装置の第１のユーザのみによる上記データストレージ部へのアクセス許可と、上記通信機器を用いて２回目以降に上記データストレージ部へアクセスした第１のユーザとは異なる第２のユーザと上記第１のユーザとによる上記データストレージ部へのアクセス許可とがあってもよい。【００１４】
これにより、第１のユーザのみが通信機器を用いてデータストレージ部にアクセスできるか、第２のユーザと第１のユーザの誰もが通信機器を用いてデータストレージ部にアクセスできるかが判別可能となる。【００１５】
上記情報処理装置がアクセス可能な上記データストレージ部のエリアは、上記エリア特定識別子又は上記アクセスの権限を示す識別子と、上記通信機器識別子とにより特定されてもよい。【００１６】
これにより、通信機器識別子は異なる通信機器を識別するもので通信機器毎に付与される識別子であるので、エリア特定識別子又はアクセスの権限を示す識別子と、通信機器識別子とにより、１つの通信機器に対して１つのエリアが設けられることになり、通信機器と対象のエリア内に保存されるデータとが対応づけられる。【００１７】
データを記憶するデータ記憶部を更に具備し、上記制御部は、上記通信部に、上記エリア内にデータ保存場所を作成する要求を上記サーバ装置へ送信させ、上記要求を基に上記サーバ装置により作成された上記データ保存場所への上記データの保存の実行を制御してもよい。【００１８】
このように、情報処理装置は、エリアにデータを保存するためのデータ保存場所を作成することができる。【００１９】
上記制御部は、上記通信部に、上記データ保存場所に設定する公開レベル情報を上記サーバ装置へ送信させてもよい。【００２０】
このように、情報処理装置のユーザは保存するデータの内容によって、データ保存場所の公開レベルをユーザにより任意に設定することができる。【００２１】
表示部を更に具備し、上記制御部は、上記データ保存場所に保存されたデータの上記表示部への表示の実行を制御してもよい。【００２２】
上記近距離無線通信は、ＮＦＣ通信であってもよい。【００２３】
本技術に係る通信機器は、通信アンテナと、ＩＣチップとを具備する。
上記通信アンテナは、情報処理装置と近距離無線通信を行う。
上記ＩＣチップは、上記情報処理装置がアクセス可能なサーバ装置のデータストレージ部のエリアを特定するために用いられる上記データストレージ部のエリアを特定する識別子又は上記データストレージ部へのアクセスの権限を示す識別子と、自身を識別する通信機器識別子とを有する。【００２４】
このような構成によれば、情報処理装置は、通信機器を用いて、エリア特定識別子又は上記アクセスの権限を示す識別子と、通信機器識別子とにより特定されるエリアへアクセスすることができる。【００２５】
一方の面に粘着材層を有するラベルシールを更に具備し、上記ラベルシールの中に上記通信アンテナと上記ＩＣチップとが組み込まれてもよい。【００２６】
このように、通信機器が粘着材層を有するように構成することにより、外部に通信機器を貼り付けることができる。【００２７】
上記ラベルシールの他方の面は上記データストレージ部へのアクセスの権限を示す識別子に対応する図柄を備えてもよい。【００２８】
このように、アクセスの権限を示す識別子に対応する図柄とすることにより、ユーザは図柄からアクセス権限の種類を把握することができる。【００２９】
上記ラベルシールの他方の面は上記データストレージ部に保存されるデータの内容に関連する図柄を備えてもよい。【００３０】
このように、データの内容に関連する図柄とすることにより、ユーザは図柄を見て、通信機器を用いてアクセス可能なデータストレージ部に保存されているデータの内容を直感的に把握することができる。【００３１】
本技術の一形態に係るサーバ装置は、データストレージ部と、受信部と、制御部とを具備する。
上記データストレージ部は、データを保存する。
上記受信部は、上記データストレージ部のエリアを特定する識別子又は上記データストレージ部へのアクセスの権限を示す識別子と、自身を識別する通信機器識別子とを有する通信機器と近距離無線通信を行う情報処理装置を介して、上記エリア特定識別子又は上記アクセスの権限を示す識別子と、上記通信機器識別子を受信する。
上記制御部は、上記データストレージ部へのアクセス許可の要求を上記情報処理装置から受信し、上記エリア特定識別子又は上記アクセスの権限を示す識別子と、上記通信機器識別子とを基に、上記情報処理装置による上記データストレージ部へのアクセスを制御する。【００３２】
このような構成によれば、物理的に情報処理装置によるデータストレージ部へのアクセスが制限され、データストレージ部に保存されるデータ情報の漏えいリスクを抑えることができる。【００３３】
上記情報処理装置からの要求により、上記情報処理装置又は上記情報処理装置のユーザに対して付与する上記情報処理装置又は上記ユーザを識別する識別子を生成する識別子生成部
を更に具備し、
上記受信部は、上記情報処理装置を識別する識別子が付与された上記情報処理装置から上記情報処理装置識別子、又は、ユーザを識別する識別子が付与された上記ユーザにより入力された上記ユーザ識別子を受信し、
上記制御部は、上記エリア特定識別子又は上記アクセスの権限を示す識別子と、上記通信機器識別子と、上記情報処理装置識別子又は上記ユーザ識別子とを基に、上記情報処理装置による上記データストレージ部へのアクセスを制御してもよい。【００３４】
このように情報処理装置識別子又はユーザ識別子を用いてアクセス制御がなされるので、情報処理装置毎のアクセスの制限を制御することが可能となる。【００３５】
上記エリア特定識別子又は上記アクセスの権限を示す識別子と、上記通信機器識別子とにより、上記データストレージ部の上記情報処理装置によるアクセスが可能なエリアが特定されてもよい。【００３６】
このように、エリア特定識別子又はアクセスの権限を示す識別子と、通信機器識別子とによりエリアが特定されることにより、通信機器と対象のエリア内に保存されるデータとが対応づけられる。【００３７】
上記データストレージ部へのアクセスを要求する情報処理装置が、上記通信機器を用いて最初に上記データストレージ部へアクセスした第１の情報処理装置であるか、又は、上記通信機器を用いて２回目以降に上記データストレージ部へアクセスした上記第１の情報処理装置以外の第２の情報処理装置であるかを確認する確認部を更に具備してもよい。【００３８】
このように、サーバ装置は、データストレージ部へのアクセスを要求してきた情報処理装置が、第１の情報処理装置であるか第２の情報処理装置であるかを確認することにより、アクセス要求してきた情報処理装置がデータストレージ部にアクセスできるか否かを判定することができる。【００３９】
上記データストレージ部へのアクセスを要求する情報処理装置のユーザが、上記通信機器を用いて最初に上記データストレージ部へアクセスした情報処理装置の第１のユーザであるか、又は、上記通信機器を用いて２回目以降に上記データストレージ部へアクセスした上記第１のユーザとは異なる第２のユーザであるかを確認する確認部を更に具備してもよい。【００４０】
このように、サーバ装置は、データストレージ部へのアクセスを要求してきた情報処理装置のユーザが、第１のユーザであるか第２のユーザであるかを確認することにより、アクセス要求してきた情報処理装置がデータストレージ部にアクセスできるか否かを判定することができる。【００４１】
本技術に係る情報処理方法は、サーバ装置のデータストレージ部のエリアを特定する識別子又は上記データストレージ部へのアクセスの権限を示す識別子と、自身を識別する通信機器識別子とを有する通信機器から、近距離無線通信により、上記エリア特定識別子又は上記アクセスの権限を示す識別子と、上記通信機器識別子を取得し、
上記エリア特定識別子又は上記アクセスの権限を示す識別子と、上記通信機器識別子とを上記サーバ装置に送信し、上記データストレージ部へのアクセスを要求する。【００４２】
このような情報処理装置による情報処理方法によれば、物理的に情報処理装置によるデータストレージ部へのアクセスが制限されるので、データストレージ部に保存されるデータ情報の漏えいリスクを抑えることができる。【００４３】
本技術に係る情報処理方法は、情報処理装置が、サーバ装置のデータストレージ部のエリアを特定する識別子又は上記データストレージ部へのアクセスの権限を示す識別子と、自身を識別する通信機器識別子とを有する通信機器と近距離無線通信をして取得した上記エリア特定識別子又は上記アクセスの権限を示す識別子と、上記通信機器識別子とを、上記情報処理装置から取得し、
上記エリア特定識別子又は上記アクセスの権限を示す識別子と、上記通信機器識別子とに基づいて、上記データストレージ部への上記情報処理装置のアクセスを許可するか否かを判定する。【００４４】
このようなサーバ装置による情報処理方法によれば、物理的に情報処理装置によるデータストレージ部へのアクセスが制限されるので、データストレージ部に保存されるデータ情報の漏えいリスクを抑えることができる。
【発明の効果】
【００４５】
以上のように、本技術によれば、複製によるアクセスが困難な通信を可能とする情報処理装置、通信機器、サーバ装置及び情報処理方法を得ることができる。
なお、ここに記載された効果は必ずしも限定されるものではなく、本開示中に記載されたいずれかの効果であってもよい。
【図面の簡単な説明】
【００４６】
【図１】本技術を適用した情報処理システムの一実施形態の構成例を示し、当該情報処理システムを構成するサーバ装置、情報処理装置及びＮＦＣシールの機能構成例を示すブロック図である。
【図２】ＮＦＣシールの図柄の例を示す図である。
【図３】図１の情報処理システムの概念図である。
【図４】図１の情報処理システムを用いたサービス実行時の初期登録の動作及びＢＯＸの作成の動作を説明するシーケンス図である。
【図５】図１の情報処理システムを用いた情報処理装置の表示例を示す。
【図６】図１の情報処理システムを用いた情報処理装置の表示例を示す。
【図７】図１の情報処理システムを用いたサービス実行時の、ＮＦＣシールを用いて２回目以降にデータストレージ部へアクセスした場合の動作を説明するシーケンス図である。
【図８】図１の情報処理システムを用いた情報処理装置の表示例を示す。
【図９】図１の情報処理システムを用いたサービス実行時の情報処理装置の表示例を示す。
【図１０】図１の情報処理システムによるアプリＩＤテーブルの構成例及びその説明を示した図である。
【図１１】図１の情報処理システムを用いた情報処理装置の表示例を示す。
【図１２】図１の情報処理システムを用いた情報処理装置の表示例を示す。
【図１３】図１の情報処理システムを用いた情報処理装置の表示例を示す。
【図１４】情報処理装置に表示されるＵＩデザインの一例である。
【図１５】情報処理装置に表示されるＵＩデザインの一例である。
【図１６】情報処理装置に表示されるＵＩデザインの一例である。
【図１７】情報処理システムの情報処理装置に表示されるＵＩデザインの一例である。
【図１８】図１の情報処理システムを用いた実用例を説明する図である。
【図１９】図１の情報処理システムを用いた実用例を説明する図である。
【図２０】図１の情報処理システムを用いた実用例を説明する図である。
【図２１】図１の情報処理システムを用いた実用例を説明する図である。
【発明を実施するための形態】
【００４７】
以下、本技術に係る実施形態を、図面を参照しながら説明する。
＜情報処理システムの構成＞
図１は本実施形態に係る情報処理システムの一構成例を示し、情報処理システムを構成するサーバ装置、情報処理装置及び通信機器としてのＮＦＣ（Near  Field  Radio  Communication）シールそれぞれの機能構成例を示すブロック図である。図２は、図１の情報処理システムの一部を構成する通信機器としてのＮＦＣシールの外観例を示す。図３は、図１の情報処理システムの概念図である。
【００４８】
図１に示すように、情報処理システム１００は、サーバ装置１１０と、情報処理装置１３０と、通信機器としてのＮＦＣシール２００と、通信網１２０とを含んで構成される。
【００４９】
情報処理システム１００では、情報処理装置１３０とＮＦＣシール２００とが電磁波を用いて近距離無線通信することにより、情報処理装置１３０がサーバ装置１１０のデータストレージ部１１６の所定のストレージエリアにアクセスすることが可能となるように構成される。
【００５０】
本実施形態において、近距離無線通信にＮＦＣ（Near Field Communication）通信を用い、ＮＦＣの通信規格にあった周波数（１３．５６ＭＨｚ）の電磁波を利用して送受信を行っている。尚、ＮＦＣとは異なる別の通信規格に従って近距離無線通信を行ってもよい。
【００５１】
情報処理装置１３０のユーザは、情報処理装置１３０を用いて、データストレージ部１１６内の所定のストレージエリアへのファイルの保存、所定のストレージエリアに保存されているファイルの参照、削除の作業を行うことができる。
【００５２】
情報処理装置１３０がアクセス可能なサーバ装置１１０のデータストレージ部１１６のストレージエリアは、情報処理装置１３０が近距離無線通信を行うＮＦＣシール２００に付与されている、自身を識別する通信機器識別子としての固有番号と、データストレージ部のエリアを特定する識別子であってデータストレージ部へのアクセスの権限を示す識別子でもある種別番号によって特定される。
【００５３】
［情報処理装置の構成］
情報処理装置１３０は、通信網１２０に接続可能な端末である。情報処理装置１３０は、例えばスマートフォン等の携帯電話、タブレット端末などであってもよく、典型的にはスマートフォンである。本実施形態では、タッチパネル操作が可能なスマートフォンを例にあげて説明する。
【００５４】
情報処理装置１３０は、図１に示すように、第２の通信部１３１と、第２の制御部１３２と、近距離無線通信部１３３と、表示部１３４と、プログラム記憶部１３５と、入力部１３６と、データ記憶部１３７とを有する。
【００５５】
第２の通信部１３１は、例えば無線ネットワークを介した他の装置、例えばサーバ装置１１０との通信を行う。
【００５６】
表示部１３４は、第２の通信部１３１が受信した情報や、入力部１３６に対して行われたユーザの操作に応じた情報等を表示する。表示部１３４は、例えば、液晶ディスプレイ、有機ＥＬディスプレイ等の画像表示パネルで構成される。また、表示部１３４にタッチパネルが設けられていても良い。
【００５７】
入力部１３６は、キー、ボタン、タッチパネル及びマイクロホンなどよりなる。
データ記憶部１３７は、情報処理装置１３０のユーザにより作成された文書ファイル、音声ファイル、写真や動画等の画像ファイルなどの各種データを記憶する。
【００５８】
近距離無線通信部１３３は、ＮＦＣシール２００と近距離無線通信を行う。近距離無線通信部１３３は、近距離無線通信の実行により、ＮＦＣシール２００の情報の受信を行う。
【００５９】
近距離無線通信部１３３は、例えばリーダライタで構成され、所定の電磁波を発してＮＦＣシール２００に起電力を生じさせることで、情報処理装置１３０とＮＦＣシール２００は近距離無線通信が可能となる。近距離無線通信部１３３は、受信したＮＦＣシール２００の情報を、第２の制御部１３２に送信する。
【００６０】
プログラム記憶部１３５は、情報処理装置１３０とサーバ装置１１０との通信、情報処理装置１３０とＮＦＣシール２００との通信を用いたストレージサービスを実行するためのアプリケーションプログラム１３５１を記憶する。
【００６１】
第２の制御部１３２は、情報処理装置１３０の動作を制御する。例えば、第２の制御部１３２は、プログラム記憶部１３５に格納されたアプリケーションプログラム１３５１を実行することで、情報処理装置１３０の動作を制御する。
【００６２】
アプリケーションプログラム１３５１の実行による第２の制御部１３２による情報処理装置１３０の動作の制御としては、サーバ装置１１０へのアクセスにより付与される情報処理装置１３０を識別する識別子となるアプリケーションＩＤ（IDentification）の取得、近距離無線通信部１３３を用いたＮＦＣシール２００の情報の取得、ＮＦＣシール２００の情報及び情報処理装置１３０のアプリケーションＩＤのサーバ装置１１０への送信、データストレージ部１１６へのアクセスの要求、データストレージ部１１６のストレージエリア内にデータ保存場所としてのＢＯＸを作成する要求、ＢＯＸ情報の送信、データストレージ部１１６に保存されているデータの読出し（データ参照）、データの消去、データストレージ部１１６へのデータの書込み（データ保存）の実行、ＢＯＸに保存されたデータの表示部１３４への表示の実行などがある。
【００６３】
データストレージ部１１６へのデータの保存は、例えば情報処理装置１３０のデータ記憶部１３７に記憶されているデータからユーザが保存したいデータを選択してデータストレージ部１１６に保存することにより行われる。
【００６４】
［通信網の構成］
通信網１２０は、通信網１２０に接続されている情報処理装置１３０やサーバ装置１１０等の装置から送信される情報の無線、または有線の伝送路である。例えば、通信網１２０は、インターネット、電話回線網、衛星通信網などの公衆回線網などを含んでもよい。
【００６５】
［サーバ装置の構成］
図１に示すように、サーバ装置１１０は、第１の通信部１１１と、第１の制御部１１２と、記憶部１１３と、ＩＤ生成部１１４と、取得部１１５と、データストレージ部１１６と、判定部１１７を含んで構成される。
【００６６】
第１の制御部１１２は、サーバ装置１１０の動作を制御する。例えば、第１の制御部１１２によるサーバ装置１１０の動作の制御としては、情報処理装置１３０との情報の送受信、情報処理装置１３０からの初期登録要求に従ったアプリケーションＩＤ１３５２の生成及び付与、情報処理装置１３０からのアプリケーションＩＤ１３５２、種別番号２０２１及び固有番号２０２２の取得、情報処理装置１３０のデータストレージ部１１６へのアクセスの制御、データストレージ部１１６内のＢＯＸの作成の実行の制御、ＢＯＸ内のデータの参照の実行の制御、ＢＯＸ内へのデータの保存の実行の制御、ＢＯＸ内のデータの削除の実行の制御、ＢＯＸへのアクセスの制御の実行等がある。
【００６７】
ここで、ＢＯＸとはデータを収納する入れ物を指し、データ保存場所である。データストレージ部１１６の対象ストレージエリア内には複数のＢＯＸを作成することが可能となっている。
【００６８】
識別子生成部としてのＩＤ生成部１１４は、情報処理装置１３０からの要求により、会員ＩＤ（図４における符号１３５４）とアプリケーションＩＤ（図３における符号１３５２）を生成する。
【００６９】
会員ＩＤは、情報処理装置１３０の固体認識番号やユーザの個人情報を基に情報処理装置１３０の固有ユーザを特定するものである。
【００７０】
アプリケーションＩＤ１３５２は、アプリケーション毎に付与される識別子である。アプリケーションＩＤ１３５２により、正規のアプリケーション利用者か否かが識別可能となっている。また、本実施形態においては、情報処理装置１３０の固体認識番号を基に、情報処理装置毎に異なるアプリケーションＩＤが付与され、異なる情報処理装置を識別する識別子としても機能する。
【００７１】
情報処理装置１３０の固体認識番号とユーザの個人情報と会員ＩＤとアプリケーションＩＤ１３５２は紐づけされて、初期登録処理で記憶部１１３に記憶される。尚、図においては、アプリケーションＩＤ１３５２をアプリＩＤと省略して記載する。
【００７２】
取得部１１５は、情報処理装置１３０からアプリケーションＩＤ１３５２、ＮＦＣシール２００の種別番号２０２１、ＮＦＣシール２００の固有番号２０２２等を取得する。
【００７３】
本実施形態において、種別番号２０２１は、情報処理装置１３０のデータストレージ部１１６へのアクセスの権限を示す識別子であるとともに、データストレージ部１１６のエリア（ストレージエリア）を特定する識別子でもある。
【００７４】
尚、ここではアクセスの権限を示す識別子及びエリアを特定する識別子として番号を用いたが、符号（ＩＤ）であってもよい。また、本実施形態においては、アクセスの権限を示す識別子であるとともにエリア特定識別子でもある識別子を例にあげたが、これに限定されない。すなわち、アクセスの権限を示すだけの識別子であってもよいし、エリアと特定するだけの識別子であってもよい。
【００７５】
固有番号２０２２は通信機器としてのＮＦＣシール２００を識別する通信機器識別番号である。従って、ＮＦＣシール２００毎に固有番号は異なる。尚、ここでは通信機器自身を識別する通信機器識別子として番号を用いたが、符号（ＩＤ）であってもよい。
【００７６】
種別番号２０２１及び固有番号２０２２は各ＮＦＣシール２００に予め付与されている番号であり、詳細については後述する。
【００７７】
記憶部１１３は、情報処理装置の固体認識番号とユーザの個人情報と会員ＩＤとアプリケーションＩＤ１３５２を紐づけして、初期登録処理時に記憶する。
【００７８】
更に、記憶部１１３は、情報処理装置１３０によるデータストレージ部１１６へのアクセスの許可用に、アプリケーションＩＤ１３５２と、ＮＦＣシール２００の種別番号２０２１及び固有番号２０２２と、アプリケーションＩＤ１３５２が付与されている情報処理装置１３０のユーザがＮＦＣシール２００の管理者か利用者かの情報を、互いに紐づけして記憶する。
【００７９】
第１の通信部１１１は、通信網１２０を介して情報処理装置１３０と通信を行う。第１の通信部１１１は、ＮＦＣシール２００と近距離無線通信を行う情報処理装置１３０を介して、エリア特定識別子でありアクセスの権限を示す識別子である種別番号２０２１と、通信機器識別子である固有番号２０２２を受信する受信部としても機能する。
【００８０】
判定部１１７は、取得部１１５により取得されたアプリケーションＩＤ１３５２、種別番号２０２１及び固有番号２０２２に基づき、データストレージ部１１６への情報処理装置１３０によるアクセスの許可又は禁止を判定する。
【００８１】
判定部１１７は、種別番号判別部１１７１と、固有番号判別部１１７２と、確認部１１７３と、アクセス許可判定部１１７４を有する。
【００８２】
種別番号判別部１１７１は、取得部１１５により取得された種別番号２０２１から、情報処理装置１３０のＮＦＣシール２００を用いたデータストレージ部１１６へのアクセスの権限の種類を判別する。
【００８３】
固有番号判別部１１７２は、取得部１１５により取得された固有番号２０２２を判別する。種別番号２０２１及び固有番号２０２２により、情報処理装置１３０がアクセス可能なデータストレージ部１１６のストレージエリアが特定される。
【００８４】
確認部１１７３は、サーバ装置１１０により情報処理装置１３０に付与されるアプリケーションＩＤ１３５２と、種別番号２０２１と、固有番号２０２２を基に、ユーザが管理者であるか利用者であるかを確認する。
【００８５】
このように、情報処理装置識別子としてのアプリケーションＩＤを用いて、ユーザが管理者であるか利用者であるかが確認されるので、情報処理装置毎のアクセスの制限を制御することが可能となる。
【００８６】
ここで、管理者とは、典型的には、ＮＦＣシール２００を用いて最初にデータストレージ部１１６にアクセスした第１の情報処理装置を操作するユーザである。利用者とは、管理者が使用したＮＦＣシール２００を用いて２回目以降にデータストレージ部１１６へアクセスした第１の情報処理装置以外の第２の情報処理装置を操作するユーザである。
【００８７】
本実施形態では、１つの情報処理装置に対して１人のユーザが登録されるので、確認部１１７３での管理者か利用者かを確認するステップは、第１の情報処理装置か第２の情報処理装置かを確認するステップと換言できる。
【００８８】
アクセス許可判定部１１７４は、種別番号判別部１１７１及び固有番号判別部１１７２による判別結果、確認部１１７３による確認結果を基に、アクセスを要求してきた情報処理装置１３０のデータストレージ部１１６へのアクセスの許可、禁止を判定する。
【００８９】
判定部１１７の動作について詳細に説明する。
まず、情報処理装置１３０によりＮＦＣシール２００を用いてデータストレージ部１１６へのアクセスが要求されると、取得部１１５により情報処理装置１３０からアプリケーションＩＤ１３５２と、種別番号２０２１と、固有番号２０２２が取得される。
【００９０】
種別番号判別部１１７１は、取得された種別番号２０２１が記憶部１１３に記憶されている種別番号と一致するか否かを判別する。
【００９１】
種別番号判別部１１７１により記憶されていない種別番号であると判別されると、対象のＮＦＣシール２００を用いて初めてアクセスが行われたとして、確認部１１７３は、アクセスをしてきた情報処理装置１３０のユーザが、対象のＮＦＣシール２００の管理者であると確認する。
【００９２】
アクセス許可判定部１１７４は、情報処理装置１３０がＮＦＣシール２００を用いて最初にデータストレージ部１１６へアクセスしてきたものとして、情報処理装置１３０に対してデータストレージ部１１６へのアクセスを許可する。
【００９３】
第１の制御部１１２は、取得した種別番号２０２１と、固有番号２０２２と、アプリケーションＩＤ１３５２とを、ＮＦＣシール２００の管理者であるという情報を紐づけして、記憶部１１３に記憶させる。
【００９４】
一方、種別番号判別部１１７１により、種別番号２０２１が記憶されている種別番号と一致すると判別され、種別番号２０２１が管理者のみアクセスを許可するアクセス権限を示すものであると判別されると、固有番号判別部１１７２は、取得された固有番号２０２２が、記憶部１１３に記憶されている種別番号に紐づけされた固有番号と一致するか否かを判別する。
【００９５】
固有番号判別部１１７２により記憶されている固有番号と一致すると判別されると、確認部１１７３は、取得されたアプリケーションＩＤ１３５２が、記憶部１１３に記憶されている種別番号及び固有番号に紐づけされたアプリケーションＩＤと一致するか否かを判別する。これにより、ユーザが管理者か利用者かを確認する。
【００９６】
確認部１１７３は、記憶されているアプリケーションＩＤと一致すると判別すると、種別番号判別部１１７１によりアクセス権限が管理者のみと判別されているので、アクセスしてきた情報処理装置１３０のユーザが管理者であると確認し、アクセス許可判定部１１７４は、アクセスしてきた情報処理装置１３０に対して、データストレージ部１１６へのアクセスを許可する。
【００９７】
一方、確認部１１７３は、記憶されているアプリケーションＩＤと一致しないと判別すると、アクセスをしてきた情報処理装置１３０のユーザが、ＮＦＣシール２００の利用者であると確認する。
【００９８】
種別番号判別部１１７１によりアクセス権限が管理者のみと判別され、確認部１１７３により利用者であると判別されているので、アクセス許可判定部１１７４は、アクセス要求してきた情報処理装置１３０によるデータストレージ部１１６へのアクセスを許可せず禁止する。
【００９９】
次に、種別番号判別部１１７１により、種別番号２０２１が記憶されている種別番号であると判別され、種別番号２０２１が管理者と利用者によるアクセスを許可するアクセス権限を示すものであると判別された場合について説明する。
【０１００】
固有番号判別部１１７２は、取得された固有番号２０２２が、記憶部１１３に記憶されている種別番号に紐づけされた固有番号と一致するか否かを判別する。
【０１０１】
固有番号判別部１１７２により記憶されている固有番号と一致すると判別されると、確認部１１７３は、取得されたアプリケーションＩＤ１３５２が、記憶部１１３に記憶されている種別番号及び固有番号に紐づけされたアプリケーションＩＤと一致するか否かを判別し、ユーザが管理者か利用者かを確認する。
【０１０２】
確認部１１７３は、記憶されているアプリケーションＩＤと一致すると判別すると、記憶部１１３に記憶されている種別番号、固有番号及びアプリケーションＩＤに紐づけられている、管理者か利用者かの情報を基に、アクセスしてきた情報処理装置１３０のユーザが管理者であるか利用者であるか確認する。
【０１０３】
このように、取得した種別番号、固有番号及びアプリケーションＩＤが、記憶部１１３に紐づけされて記憶されている種別番号、固有番号及びアプリケーションＩＤと全て一致する場合は、アクセス要求してきた情報処理装置１３０が、以前にも同じＮＦＣシール２００を用いてアクセスしてきたことがあることを示す。
【０１０４】
アクセス許可判定部１１７４は、種別番号が管理者と利用者によるアクセスを許可するアクセス権限を示すものであるので、データストレージ部１１６への情報処理装置１３０によるアクセスを許可する。
【０１０５】
一方、確認部１１７３は、記憶されているアプリケーションＩＤと一致しないと判別すると、既に紐づけされている種別番号と固有番号が記憶部１１３に記憶されているので、対象のＮＦＣシール２００には既に管理者がいると判定し、アクセスをしてきた情報処理装置１３０のユーザをＮＦＣシール２００の利用者であると確認する。
【０１０６】
アクセス許可判定部１１７４は、種別番号が管理者と利用者によるアクセスを許可するアクセス権限を示すものであるので、データストレージ部１１６への情報処理装置１３０によるアクセスを許可する。
【０１０７】
第１の制御部１１２は、種別番号２０２１と、固有番号２０２２と、アプリケーションＩＤ１３５２と、ＮＦＣシール２００の利用者であるという情報を紐づけして、記憶部１１３に記憶させる。
【０１０８】
第１の制御部１１２は、上述のように、種別番号２０２１と固有番号２０２２とアプリケーションＩＤ１３５２から判定部１１７により判定されたアクセスの許可又は禁止の判定結果を基に、情報処理装置１３０によるデータストレージ部１１６へのアクセスを制御する。
【０１０９】
このように、判定部１１７は、種別番号、固有番号、アプリケーションＩＤ、管理者か利用者かの情報を紐づけして記憶する記憶部１１３に記憶される情報を参照しながら、取得された種別番号、固有番号、アプリケーションＩＤを基に、アクセスを要求してきた情報処理装置１３０のデータストレージ部１１６へのアクセスの許可又は禁止を判定する。
【０１１０】
データストレージ部１１６は、情報処理装置１３０のユーザにより選択されたデータを保存する。
【０１１１】
アプリケーションプログラム１３５１の実行により情報処理装置１３０がデータストレージ部１１６にアクセスすることによって、情報処理装置１３０のユーザは、ユーザによって選択された情報処理装置１３０のデータ記憶部１３７に記憶されていたデータをデータストレージ部１１６に保存することが可能となる。
【０１１２】
また、情報処理装置１３０を用いて、ユーザは、データストレージ部１１６に保存されているデータの参照や削除も行うことができる。
【０１１３】
［ＮＦＣシールの構成］
ＮＦＣシール２００は、近距離無線通信が可能な通信機器である。ＮＦＣシール２００は、通信アンテナ２０１と、ＩＣチップ２０２と、ラベルシール２０３を有する。通信アンテナ２０１とＩＣチップ２０２はラベルシール２０３の中に組み込まれる。
【０１１４】
ラベルシール２０３は、薄いシート状を有し、一方の面には接着層が設けられ、他方の面２０３aには図柄が施されている。ＩＣチップ２０２には、当該ＩＣチップ２０２が搭載されるＮＦＣシール自身を特定する固有番号２０２２と種別番号２０２１が予め付与されている。
【０１１５】
情報処理装置１３０がＮＦＣシール２００に近接することにより、情報処理装置１３０から発せられる電磁波にＮＦＣシール２００の通信アンテナ２０１が反応して起電力が発生し、その起電力を電源としてＩＣチップ２０２が作動する。
【０１１６】
この状態により、通信アンテナ２０１及び情報処理装置１３０の近距離無線通信部１３３を介してＩＣチップ２０２に記憶されている固有番号２０２２及び種別番号２０２１等のＮＦＣシール２００の情報が情報処理装置１３０へ送信される。
【０１１７】
図２に示すように、ＮＦＣシール２００は、例えば一辺が２５ｍｍの略正方形状のシート状の外観を有する。図２は、それぞれ図柄が異なるＮＦＣシール２００の一例を示す。本実施形態においては、他方の面２０３aに施されている図柄の種類とＮＦＣシール２００に付与されている種別番号２０２１とが対応している。
【０１１８】
本実施形態においては、種別番号２０２１が、ＮＦＣシール２００を用いた情報処理装置１３０のデータストレージ部１１６へのアクセス権限の種類及びアクセスするストレージエリアを特定する他、ＵＩ（User  Interface）デザインの種類もあわせて示している場合を例にあげる。
【０１１９】
アクセスの権限には、管理者（第１の情報処理装置のユーザ）のみアクセスが可能という権限と、管理者（第１の情報処理装置のユーザ）及び利用者（第２の情報処理装置のユーザ）の誰もがアクセスが可能という権限の２種類がある。
【０１２０】
種別番号２０２１について説明する。図１０は、サーバ装置１１０の記憶部１１３に記憶される、アプリケーションＩＤテーブルの構成例とその説明である。以下、図１０を用いて、各ＮＦＣシール２００Ａ〜２００Ｃに対応づけられるデータストレージ部１１６へのアクセス権限の種類とＵＩデザインの種類について説明する。
【０１２１】
図１０で説明する３つのＮＦＣシールはそれぞれ上から、図２（Ａ）のＮＦＣシール２００Ａ、図２（Ｂ）のＮＦＣシール２００Ｂ、図２（Ｃ）のＮＦＣシール２００Ｃに対応する。ここでは、ＮＦＣシール２００に施されている図柄と種別番号２０２１とが対応している。すなわち、アクセス権限の種類及びＵＩデザインの種類と、図柄とが対応している。
【０１２２】
図１０では、互いに異なる３つの情報処理装置が、互いに異なるＮＦＣシール２００Ａ〜２００Ｃそれぞれを用いてサーバ装置１１０のデータストレージ部１１６にアクセスする場合を例にあげる。
【０１２３】
図２（Ａ）に示すＮＦＣシール２００Ａには、種別番号００１、固有番号１１１１が付与される。図２（Ｂ）に示すＮＦＣシール２００Ｂには、種別番号００２、固有番号２２２２が付与される。図２（Ｃ）に示すＮＦＣシール２００Ｃには、種別番号００３、固有番号３３３３が付与される。
【０１２４】
尚、ＮＦＣシール２００Ａ〜２００Ｃというように特に区別する必要がない場合は、単にＮＦＣシール２００と称し、説明をする。同様に、ＮＦＣシール２００Ａ〜２００Ｃそれぞれが有する種別番号２０２１Ａ〜２０２１Ｃ、固有番号２０２２Ａ〜２０２２Ｃにおいても、特に区別する必要がない場合は、単に種別番号２０２１、固有番号２０２２と称する。
【０１２５】
異なるＮＦＣシール２００Ａ〜Ｃを用いた３つの異なる情報処理装置１３０のアクセスにより、サーバ装置１１０の記憶部１１３は、各情報処理装置１３０のアプリケーションＩＤ１３５２と、ＮＦＣシール２００に付与されている種別番号２０２１と固有番号２０２２とを紐づけして記憶する。
【０１２６】
番号が１２３４のアプリケーションＩＤ１３５２を付与された情報処理装置１３０によるＮＦＣシール２００Ａを用いたデータストレージ部１１６へのアクセスにより、記憶部１１３は、アプリケーションＩＤが１２３４、種別番号が００１、固有番号が１１１１という情報を紐づけして記憶する。
【０１２７】
番号が３４５６のアプリケーションＩＤ１３５２を付与された情報処理装置１３０によるＮＦＣシール２００Ｂを用いたデータストレージ部１１６へのアクセスにより、記憶部１１３は、アプリケーションＩＤが３４５６、種別番号が００２、固有番号が２２２２という情報を紐づけして記憶する。
【０１２８】
番号が６７８９のアプリケーションＩＤ１３５２を付与された情報処理装置１３０によるＮＦＣシール２００Ｃを用いたデータストレージ部１１６へのアクセスにより、記憶部１１３は、アプリケーションＩＤが６７８９、種別番号が００３、固有番号が３３３３という情報を紐づけして記憶する。
【０１２９】
図２（Ａ）に図示されるプレゼントの図柄のＮＦＣシール２００Ａに付与される種別番号００１は、管理者及び利用者がＮＦＣシール２００Ａを用いてデータストレージ部１１６へアクセス可能であり、情報処理装置１３０の表示部１３４に表示されるＵＩデザインが一般的であることを示す。ＵＩデザインの詳細については後述する。
【０１３０】
従って、管理者及び利用者の誰もがＮＦＣシール２００Ａを用いてデータストレージ部１１６にアクセス可能でデータストレージ部１１６のデータの参照、保存、削除が可能である。
【０１３１】
図２（Ｂ）に図示される掲示板の図柄のＮＦＣシール２００Ｂに付与される種別番号００２は、管理者のみＮＦＣシール２００Ｂを用いてデータストレージ部１１６へアクセス可能であり、情報処理装置１３０の表示部１３４に表示されるＵＩデザインが一般的であることを示す。
【０１３２】
従って、管理者のみがＮＦＣシール２００Ｂを用いてデータストレージ部１１６にアクセス可能でデータストレージ部１１６のデータの参照、保存、削除が可能である。一方、利用者はＮＦＣシール２００Ｂを使うことができない。
【０１３３】
図２（Ｃ）に図示される段ボール箱の図柄のＮＦＣシール２００Ｃに付与される種別番号００３は、管理者及び利用者がＮＦＣシール２００Ｃを用いてデータストレージ部１１６へアクセス可能であり、情報処理装置１３０の表示部１３４に表示されるＵＩデザインが特別なデザインであることを示す。
【０１３４】
従って、管理者及び利用者の誰もがＮＦＣシール２００Ｃを用いてデータストレージ部１１６にアクセス可能で、データストレージ部１１６の所定のストレージエリアのデータの参照、保存、削除が可能である。
【０１３５】
図８（Ｂ）、図１４〜図１７は、情報処理装置１３０の表示部１３４に表示されるＵＩデザインの一例を示す。
【０１３６】
ＵＩデザインが一般的な場合というのは、図１４や図８（Ｂ）等に示すようなファイル名が単に羅列されてファイルの配置に特に特徴がなく、また背景の色、模様等が工夫されたデザインでないＵＩデザインを指す。
【０１３７】
ＵＩデザインが特別な場合というのは、例えば図１５〜図１７に示すような、色、模様などが工夫された背景に、ファイルが、その背景に特化した配置等となっているデザインを指す。
【０１３８】
例えば、図１５は、アルバムの台紙３１１に、ユーザにより選択された写真３１１１等のデータファイルを貼り付けた表示が可能なフォトアルバムモードのＵＩデザインである。ユーザは表示部１３４を指でスライドさせることにより、あたかもアルバムのページをめくるような感覚でファイルを参照することができる。
【０１３９】
図１６は、本棚モードのＵＩデザインであり、本棚３１２に、雑誌に見立てたファイルのアイコン３１２１が並ぶようにデザインされている。
【０１４０】
図１７は、ジュークボックスモードのＵＩデザインであり、ジュークボックス３１３に例えば曲名で表示される音楽データファイルが並ぶようにデザインされている。
【０１４１】
このように、データストレージ部１１６に記録するファイルの内容に応じたＵＩデザインをユーザが任意で選択できるようにしてもよい。
【０１４２】
本実施形態では、アクセス権限の種類及びＵＩデザインの種類と、図柄が対応するように構成したが、これに限定されない。例えば、アクセス権限の種類と図柄が対応するようにしてもよいし、データストレージ部に保存するファイルの内容に関連した図柄のＮＦＣシールとしてもよい。
【０１４３】
データストレージ部に保存するファイルの内容に関連した図柄の一例としては、図１５に示すフォトアルバムモードのＵＩデザインでファイルが表示部１３４に表示される場合には、ＮＦＣシール２００に施される図柄をフォトアルバムの図柄にしてもよい。また、他の例として、ＮＦＣシール２００に施される図柄を子供の写真とし、子供に関するデータを保存して、写真等のデータを整理することができるようにしてもよい。
【０１４４】
これにより、ユーザは、ＮＦＣシール２００に施されている図柄から、ＮＦＣシール２００に対応するデータストレージ部に保存されているデータがどのような内容のものであるかを直感的に把握することができ、保存されているデータの検索が容易となり利便性がよい。
【０１４５】
固有番号２０２２は、ＮＦＣシール２００自身に付与される番号であり、各ＮＦＣシール２００で全て番号が異なっている。
【０１４６】
また、本実施形態においては、ＮＦＣシール２００は粘着材層を有するシールタイプであるので、ユーザは外部の任意の場所にＮＦＣシール２００を貼りつけることができる。実用例については後述するが、ＮＦＣシール２００を貼りつける場所に関連するデータを対応するデータストレージ部のストレージエリアに保存することにより、ユーザは、ＮＦＣシール２００を貼りつける場所毎に情報を整理して管理することができる。
【０１４７】
本実施形態ではシールタイプの通信機器としてＮＦＣシールを例にあげたが、例えばカード式の通信機器としてのＮＦＣカードであってもよく、通信機器の形態はこれらシールやカードに限定されない。
【０１４８】
図３を用いて情報処理システム１００の概要について説明する。図３は、１つの情報処理装置１３０が複数のＮＦＣシール２００Ａ〜２００Ｃを用いてデータストレージ部１１６にアクセスする場合の概念図である。
【０１４９】
図３に示すように、例えばＮＦＣシール２００Ａには種別番号００１（符号２０２１Ａ）、固有番号１１１１（符号２０２２Ａ）が付与され、ＮＦＣシール２００Ｂには種別番号００２（符号２０２１Ｂ）、固有番号２２２２（符号２０２２Ｂ）が付与され、ＮＦＣシール２００Ｃには種別番号００３（符号２０２１Ｃ）、固有番号３３３３（符号２０２２Ｃ）が付与される。
【０１５０】
情報処理装置１３０には、初期登録により、サーバ装置１１０によりアプリケーションＩＤ１３５２が付与される。
【０１５１】
情報処理装置１３０はＮＦＣシール２００Ａ（２００Ｂ、２００Ｃ）と近距離無線通信を行うことにより、種別番号２０２１Ａ（２０２１Ｂ、２０２１Ｃ）と固有番号２０２２Ａ（２０２２Ｂ、２０２２Ｃ）を取得する。
【０１５２】
情報処理装置１３０は、アプリケーションＩＤ１３５２、種別番号２０２１Ａ（２０２１Ｂ、２０２１Ｃ）及び固有番号２０２２Ａ（２０２２Ｂ、２０２２Ｃ）をサーバ装置に送信し、これらの情報を基にサーバ装置１１０によりアクセスを許可されると、データストレージ部１１６へのアクセスが可能となる。
【０１５３】
サーバ装置１１０のデータストレージ部１１６は、各ＮＦＣシール２００に付与されている各種別番号に対応した種別エリア１１６１Ａ〜１１６１Ｃを有する。更に、各種別エリア１１６１Ａ〜１１６１Ｃは、ＮＦＣシール２００に付与されている固有番号に対応した固有エリア１１６２Ａ〜１１６２Ｃを有している。
【０１５４】
ＮＦＣシール２００Ａ（２００Ｂ、２００Ｃ）を用いた情報処理装置１３０によるアクセスが可能なデータストレージ部１１６のストレージエリアは、種別番号２０２１Ａ（２０２１Ｂ、２０２１Ｃ）と固有番号２０２２Ａ（２０２２Ｂ、２０２２Ｃ）とにより決定される種別エリア１１６１Ａ（１１６１Ｂ、１１６１Ｃ）及び固有エリア１１６２Ａ（１１６２Ｂ、１１６２Ｃ）から特定される。
【０１５５】
本実施形態では、各種別エリア内に固有番号に応じた固有エリアが複数設けられるので、固有エリア１１６２Ａが、ＮＦＣシール２００Ａがアクセス可能なストレージエリアとなる。同様に、固有エリア１１６２ＢはＮＦＣシール２００Ｂがアクセス可能なストレージエリアとなり、固有エリア１１６２ＣはＮＦＣシール２００Ｃがアクセス可能なストレージエリアとなる。
【０１５６】
このように、ＮＦＣシール２００に付与されている種別番号２０２１及び固有番号２０２２により、このＮＦＣシール２００に近距離無線通信を行った情報処理装置１３０がアクセス可能なデータストレージ部１１６内のストレージエリアが特定される。すなわち、ＮＦＣシール２００とデータストレージ部１１６に保存されるデータとは互いに紐づけられる。
【０１５７】
＜情報処理システムの動作説明＞
［初期登録及びＢＯＸ作成時の動作説明］
上述の情報処理システム１００を用いたアプリケーションプログラム１３５１の実行時の初期登録の動作について図４〜図６を用いて説明する。
【０１５８】
図４は初期登録及びＢＯＸ作成時の動作を説明するシーケンス図である。図５及び図６はアプリケーションプログラム実行時の情報処理装置１３０の表示部１３４に表示される画面の一例である。図５は作業の選択画面を示し、図６はＢＯＸ作成時の画面を示す。以下、図４に従って説明する。
【０１５９】
まず、ユーザは、ＮＦＣシール２００を準備し、アプリケーションプログラム１３５１を情報処理装置１３０にインストールする。ここでは、管理者及び利用者のアクセスが可能というアクセス権限の種別番号を有するＮＦＣシール２００を用いた場合を中心に説明する。
【０１６０】
ユーザによりインストールされたアプリケーションプログラム１３５１が実行されると、第２の制御部１３２は、図示しない初期登録設定画面を表示部１３４に表示させる。
【０１６１】
ユーザにより個人情報等のｓ項目の入力が終え初期登録を実行する選択がされると（Ｓ１０１）、第２の制御部１３２は、第２の通信部１３１に、通信網１２０を介してサーバ装置１１０へ情報処理装置１３０の固体認識番号の情報、個人情報等とともに初期登録の要求を送信させる。
【０１６２】
サーバ装置１１０の第１の通信部１１１は情報処理装置１３０からの要求を受信する。第１の制御部１１２は、この要求に従って、ＩＤ生成部１１４に、受信した固体認識番号及び個人情報を基に情報処理装置１３０の固有ユーザを特定可能な会員ＩＤ１３５４を生成させる（Ｓ１０２）。
【０１６３】
更に、第１の制御部１１２は、ＩＤ生成部１１４に、受信した固体認識番号を基に情報処理装置１３０の認識番号としてのアプリケーションＩＤ１３５２を生成させる（Ｓ１０３）。
【０１６４】
第１の制御部１１２は、第１の通信部１１１に、生成されたアプリケーションＩＤ１３５２を情報処理装置１３０へ送信させる（Ｓ１０４）。情報処理装置１３０がアプリケーションＩＤ１３５２を受信することにより、情報処理装置１３０にアプリケーションＩＤ１３５２が付与される（Ｓ１０５）。以上により情報処理装置１３０の初期登録が完了する。
【０１６５】
初期登録が完了するとＢＯＸの作成が可能となる。以下に、ＢＯＸの作成について説明する。
【０１６６】
初期登録が完了すると、第２の制御部１３２は、表示部１３４に、図５に示す作業選択画面を表示させる。図５に示すように、表示部１３４には、「ＢＯＸを作る」のボタン１７０、「ＢＯＸを見る」のボタン１７１、「ＢＯＸ管理設定」のボタン１７２の計３つの選択ボタンが表示される。
【０１６７】
ユーザにより「ＢＯＸを作る」のボタン１７０がタップされて選択されると、第２の制御部１３２は、表示部１３４に、図６（Ａ）に示す、情報処理装置１３０とＮＦＣシール２００とを近接させ、両者を近距離無線通信で接続する指示を示す画像１７３を表示させる。
【０１６８】
この画像１７３に従ってユーザが情報処理装置１３０をＮＦＣシール２００にかざし、両者の近距離無線通信が成立すると、ＮＦＣシール２００の情報の読み取りが可能となる。第２の制御部１３２は、近距離無線通信部１３３に、ＮＦＣシール２００の情報である種別番号２０２１及び固有番号２０２２を受信させる（Ｓ１０６）。
【０１６９】
種別番号２０２１及び固有番号２０２２の受信が終了すると、第２の制御部１３２は、第２の通信部１３１に、アプリケーションＩＤ１３５２、種別番号２０２１及び固有番号２０２２をサーバ装置１１０へ送信させる（Ｓ１０７）。アプリケーションＩＤ１３５２、種別番号２０２１及び固有番号２０２２の送信により、データストレージ部１１６へのアクセス及びＢＯＸ作成の要求がなされる。
【０１７０】
データストレージ部１１６へのアクセス及びＢＯＸ作成の要求を第１の通信部１１１が受信すると（Ｓ１０８）、第１の制御部１１２は、取得部１１５に、受信した種別番号２０２１、固有番号２０２２及びアプリケーションＩＤ１３５２を取得させる。
【０１７１】
第１の制御部１１２は、判定部１１７に、取得部１１５で取得されたアプリケーションＩＤ１３５２、種別番号２０２１及び固有番号２０２２を基に、データストレージ部１１６へのアクセスを許可するか否かを判定させる。
【０１７２】
以下に判定部１１７の動作の詳細を説明する。まず、判定部１１７の種別番号判別部１１７１により、取得した種別番号２０２１が記憶部１１３に記憶されているか否かが判別される。
【０１７３】
ここでは、初めてＢＯＸが作成される例をあげているので、記憶部１１３には、まだデータストレージ部１１６へのアクセスの許可用の情報が記録されていない。したがって、種別番号判別部１１７１により、取得された種別番号２０２１は記憶部に記憶されていないと判別され、更に種別番号２０２１を基にアクセス権限の種類が判別される（Ｓ１０９）。ここでは、管理者及び利用者のアクセスが可能という権限であると判別され、またデータストレージ部１１６内の種別エリア１１６１が判別される。
【０１７４】
次に、判定部１１７の固有番号判別部１１７２により固有番号２０２２が判別される（Ｓ１１０）。これにより、種別エリア１１６１内の固有エリア１１６２が判別され、データストレージ部１１６における情報処理装置１３０がアクセス可能なストレージエリアが特定される。ここでは、種別エリア１１６１内の固有エリア１１６２の領域が、ストレージエリアとなる。
【０１７５】
次に、確認部１１７３により、アプリケーションＩＤ１３５２を基に、アクセス要求をしてきた情報処理装置１３０のユーザが管理者か利用者かが確認される（Ｓ１１１）。ここでは、情報処理装置１３０が最初にＮＦＣシール２００を用いてデータストレージ部１１６にアクセスしており、記憶部１１３には、まだデータストレージ部１１６へのアクセスの許可用の情報が記録されていないので、確認部１１７３は、情報処理装置１３０のユーザは管理者であると確認する。
【０１７６】
次に、アクセス許可判定部１１７４は、種別番号判別部１１７１及び固有番号判別部１１７２による判別結果、確認部１１７３による確認結果を基に、情報処理装置１３０のデータストレージ部１１６へのアクセスの許可、禁止を判定する。ここでは、アクセス許可判定部１１７４は、アクセスを許可すると判定する。
【０１７７】
そして、第１の制御部１１２は、種別番号２０２１と、固有番号２０２２と、アプリケーションＩＤ１３５２と、ＮＦＣシール２００の管理者であるという情報を紐づけして、記憶部１１３に記憶させる。
【０１７８】
第１の制御部１１２は、判定部１１７によるアクセス許可の判定が終了すると、アクセス許可の判定結果を基に、データストレージ部１１６の所定のストレージエリア内にＢＯＸを作成する（Ｓ１１２）。
【０１７９】
作成されたＢＯＸには番号が付与される。第１の制御部１１２は、ＢＯＸを作成すると、第１の通信部１１１に、情報処理装置１３０に対して、データストレージ部へのアクセスが許可され、ＢＯＸが正常に作成された通知をＢＯＸ番号情報とともに送信させる（Ｓ１１３）。
【０１８０】
第２の通信部１３１が、アクセス許可通知及びＢＯＸ正常作成通知を受信すると（Ｓ１１４）、第２の制御部１３２は、表示部１３４に、図６（Ｂ）に示すように、ＢＯＸ情報の記入画面を表示させる。
【０１８１】
ＢＯＸ情報の記入画面には、サーバ装置１１０から受信したＢＯＸ番号１７４、タイトルの入力欄１７５、オーナーの入力欄１７６、公開レベル欄１７７、登録ボタン１７８等が表示される。
【０１８２】
ＢＯＸ番号はＢＯＸを識別する番号である。タイトルの入力欄１７５には、ＢＯＸの名称が記入される。ＢＯＸの名称はユーザにより任意に決定される。
【０１８３】
オーナーは、対象のＢＯＸを作成したユーザである。管理者及び利用者のアクセスが可能という権限を有するＮＦＣシール２００を用いて作成されたＢＯＸであるので、管理者も利用者もＢＯＸのオーナーになり得る。オーナーの入力欄１７６には、ユーザにより任意の名前が記入される。
【０１８４】
公開レベル欄１７７には、ＢＯＸの公開レベルの種類が示される。公開レベルは、オープンモード、参照モード、排他モードの３種類があり、ＢＯＸへのアクセスの制限の種類を示す。
【０１８５】
公開レベルは、そのＢＯＸのオーナーによって任意に選択される。公開レベルは例えばプルダウン表示され、例えばオープンモードを選択すると公開レベル欄１７７にオープンモードの文字が表示される。
【０１８６】
尚、情報処理装置によるデータストレージ部へのアクセスに関してはアクセス権限とし、情報処理装置によるＢＯＸへのアクセスに関しては公開レベルとする。いずれもデータストレージ部又はＢＯＸへのアクセスが可能な情報処理装置を特定するものである。
【０１８７】
本実施形態においては、アクセス権限は、ＮＦＣシールに付与された種別番号によって予め設定されており、ユーザによってアクセス権限の種類の変更が不可能となっている。一方、公開レベルは、ＢＯＸのオーナーによって任意に変更が可能となっている。
【０１８８】
公開レベルはＢＯＸ毎に設定され、そのＢＯＸを作成したオーナーのみ任意に変更可能である。公開レベルを設定変更する場合については後述する。
【０１８９】
ＢＯＸがオープンモードに設定される場合は、ＢＯＸのオーナー及びそれ以外のユーザの誰もが対象のＢＯＸ内のデータの参照、保存、削除を行うことができる。
【０１９０】
ＢＯＸが参照モードの場合、ＢＯＸを作成したオーナーのみが対象のＢＯＸ内のデータの参照、保存、削除を行うことができる。ＢＯＸのオーナー以外のユーザは、ＢＯＸ内のデータの参照のみが可能であり、保存、削除はできない。
【０１９１】
ＢＯＸが排他モードの場合は、ＢＯＸを作成したオーナーのみが対象のＢＯＸ内のデータの参照、保存、削除を行うことができ、ＢＯＸのオーナー以外のユーザは、対象のＢＯＸ内のデータの参照、保存、削除ができない。
【０１９２】
尚、管理者のみアクセスが可能という権限を有するＮＦＣシール２００を用いる場合は、管理者以外は誰もＮＦＣシール２００を用いてデータストレージ部１１６へのアクセスができない。
【０１９３】
図６（Ｂ）の記入画面のタイトルの入力欄１７５及びオーナーの入力欄１７６への記入が終了し、ユーザにより登録ボタン１７８が選択されると、第２の制御部１３２は、第２の通信部１３１に、記入されたＢＯＸ情報をサーバ装置１１０へ送信させる（Ｓ１１５）。ＢＯＸ情報は、ＢＯＸ番号情報、タイトル情報、オーナー名情報、公開レベル情報である。
【０１９４】
第１の通信部１１１がＢＯＸ情報を受信すると、第１の制御部１１２は、記憶部１１３に、アプリケーションＩＤ１３５２と、種別番号２０２１と、固有番号２０２２と、ＢＯＸ番号と、ＢＯＸ情報を紐づけして記憶させ、ＢＯＸを登録する（Ｓ１１６）。
【０１９５】
ＢＯＸの登録が終了すると、第１の制御部１１２は、第１の通信部１１１に、ＢＯＸ登録終了を情報処理装置１３０へ通知させ（Ｓ１１７）、このＢＯＸ登録終了の通知を第２の通信部１３１が受信する（Ｓ１１８）。これにより、情報処理装置１３０による登録されたＢＯＸ内へのデータの保存、参照、削除が可能となる。
【０１９６】
［ＮＦＣシールを用いたデータストレージ部へのアクセスが２回目以降の場合の動作説明］
以下、ＮＦＣシール２００を用いてのデータストレージ部へのアクセスが２回目以降の場合について、ユーザが管理者である場合と利用者である場合とにわけて説明する。ここでは、管理者及び利用者のアクセスが可能というアクセス権限が設定されているＮＦＣシール２００を用いる場合について説明する。
【０１９７】
ここでは、便宜的に、ＮＦＣシール２００の管理者が用いる情報処理装置を第１の情報処理装置１３０Ａとし、ＮＦＣシール２００の利用者が用いる情報処理装置を第２の情報処理装置１３０Ｂとする。第１の情報処理装置１３０Ａと第２の情報処理装置１３０Ｂとは異なる装置である。
【０１９８】
第１の情報処理装置１３０Ａは、ＮＦＣシール２００を用いて最初にデータストレージ部１１６へアクセスするときに用いられる装置である。第２の情報処理装置１３０Ｂは、同じＮＦＣシール２００を用いて２回目以降にデータストレージ部１１６へアクセスするときに用いられる装置である。
【０１９９】
第１の情報処理装置１３０Ａ及び第２の情報処理装置１３０Ｂの機能構成は上述の情報処理装置１３０と同じであり、情報処理装置１３０の機能構成と同様の符号を用いて説明する。
【０２００】
また、第１の情報処理装置１３０Ａに付与されるアプリケーションＩＤをアプリケーションＩＤ１３５２Ａとする。第２の情報処理装置１３０Ｂに付与されるアプリケーションＩＤをアプリケーションＩＤ１３５２Ｂ、会員ＩＤを会員ＩＤ１３５４Ｂとする。
【０２０１】
（管理者使用時の動作）
ここでは、既に管理者及び利用者によりＢＯＸが作成されているとする。管理者は、ＮＦＣシール２００に最初にアクセスしたときに使用した第１の情報処理装置１３０Ａを使用してアプリケーションプログラム１３５１の実行を行う。
【０２０２】
図７は情報処理システムにおける動作を示すシーケンス図である。図５、８、９、図１１〜１３は、それぞれアプリケーションプログラム１３５１の実行時の情報処理装置１３０の表示部１３４に表示される画面の一例である。
【０２０３】
図８（Ａ）は図５の作業選択画面で「ＢＯＸを見る」のボタン１７１が選択された場合に表示される表示画面を示す。図８（Ｂ）は、ＢＯＸがオープンモードに設定されている場合に表示される表示画面である。
【０２０４】
図８（Ｃ）は、ＢＯＸのオーナーが第１の情報処理装置１３０Ａのユーザである管理者ではなく、ＢＯＸが参照モードに設定されている場合に表示される表示画面である。
【０２０５】
図９（Ａ）は、ＢＯＸのオーナーが第１の情報処理装置１３０Ａのユーザである管理者で、ＢＯＸが参照モード又は排他モードに設定されている場合に表示される表示画面である。
【０２０６】
図９（Ｂ）は、ＢＯＸのオーナーが第１の情報処理装置１３０Ａのユーザである管理者ではなく、ＢＯＸが排他モードに設定されている場合に表示される表示画面である。
【０２０７】
図１１は、データストレージ部１１６にデータを保存する作業の表示画面を示す。図１２及び図１３は、図５の「ＢＯＸ管理設定」のボタン１７２が選択された場合に表示される表示画面を示す。
【０２０８】
アプリケーションプログラム１３５１が実行されると、第１の情報処理装置１３０Ａには既にアプリケーションＩＤ１３５２が付与されているので、図７に示される初期登録に係るＳ２０１〜Ｓ２０５のステップを飛ばし、第２の制御部１３２は、表示部１３４に、図５に示す「ＢＯＸを作る」、「ＢＯＸを見る」、「ＢＯＸ管理設定」の選択画面を表示させる。
【０２０９】
管理者によって、既に作成されているＢＯＸとは異なるＢＯＸが新たに作成される場合、「ＢＯＸを作る」のボタン１７０が選択される。「ＢＯＸを作る」という作業が選択された場合の動作については、上述のＳ１０６〜Ｓ１１８と同様のため、ここでは説明を省略する。このように、１つのＮＦＣシール２００に対して複数のＢＯＸを作成できる。
【０２１０】
次に、図５の選択画面において、「ＢＯＸを見る」のボタン１７１が管理者により選択されると、第２の制御部１３２は、表示部１３４に、図８（Ａ）に示す、第１の情報処理装置１３０ＡとＮＦＣシール２００とを近接させ、両者を近距離無線通信で接続する指示を示す画像１７３を表示させる。
【０２１１】
この画像１７３に従って管理者が第１の情報処理装置１３０ＡをＮＦＣシール２００にかざし、両者の近距離無線通信が成立すると、ＮＦＣシール２００の情報の読み取りが可能となる。第２の制御部１３２は、近距離無線通信部１３３に、ＮＦＣシール２００の情報である種別番号２０２１及び固有番号２０２２を受信させる（Ｓ２０６）。
【０２１２】
第２の制御部１３２は、第２の通信部１３１に、取得したＮＦＣシール２００の種別番号２０２１及び固有番号２０２２と、サーバ装置１１０から初期登録時に付与されたアプリケーションＩＤ１３５２Ａとをサーバ装置１１０へ送信させる（Ｓ２０７）。
【０２１３】
この種別番号２０２１、固有番号２０２２及びアプリケーションＩＤ１３５２Ａの送信により、サーバ装置１１０のデータストレージ部１１６へのアクセスの要求及びＢＯＸの閲覧要求がなされる。
【０２１４】
第１の通信部１１１が、第１の情報処理装置１３０Ａによるデータストレージ部１１６へのアクセスの要求を受信すると、第１の制御部１１２は、取得部１１５に、受信した種別番号２０２１、固有番号２０２２及びアプリケーションＩＤ１３５２Ａを取得させる。
【０２１５】
第１の制御部１１２は、判定部１１７に、アクセスしてきた第１の情報処理装置１３０Ａに対してデータストレージ部１１６の所定のストレージエリアへのアクセスを許可してよいか否かを判定させる。
【０２１６】
詳細には、判定部１１７の種別番号判別部１１７１により、種別番号２０２１が記憶部１１３に記憶されている種別番号２０２１であるか否かが判別される（Ｓ２０８）。ここでは、既に管理者によりＮＦＣシール２００を用いたアクセスがなされているので、記憶部１１３にはアクセス許可用の情報が記憶されている。したがって、記憶部１１３に記憶されている種別番号２０２１と一致すると判別され、また、種別番号２０２１を基に管理者も利用者もアクセス可能というアクセス権限であると判別される。
【０２１７】
次に、固有番号判別部１１７２により、取得された固有番号２０２２が、Ｓ２０８で記憶部１１３に記憶されていると判別された種別番号２０２１と紐づけされて記憶部１１３に記憶されている固有番号２０２２と一致するか否かが判別される（Ｓ２０９）。ここでは、一致すると判別される。
【０２１８】
次に、確認部１１７３により、取得されたアプリケーションＩＤ１３５２Ａが、Ｓ２０９で記憶部１１３に記憶されていると判別された種別番号２０２１及び固有番号２０２２と紐づけされているアプリケーションＩＤ１３５２と一致するか否かが判別され、更に、ユーザが管理者か利用者かが確認される（Ｓ２１０）。
【０２１９】
確認部１１７３は、記憶部１１３に記憶されているアプリケーションＩＤ１３５２と一致すると判別すると、記憶部１１３に記憶されていると判別された種別番号２０２１、固有番号２０２２及びアプリケーションＩＤ１３５２と紐づけされている管理者か利用者かの情報を基に、第１の情報処理装置１３０Ａのユーザが管理者か利用者かを確認する。ここでは、確認部１１７３は、管理者であると確認する。
【０２２０】
Ｓ２０８〜Ｓ２１０のステップの結果に基づいて、アクセス許可判定部１１７４は、第１の情報処理装置１３０Ａによるデータストレージ部１１６の所定のストレージエリアへのアクセスの許可、禁止を判定する。ここでは、アクセスを要求してきている第１の情報処理装置１３０Ａのユーザは管理人であるので、アクセス許可判定部１１７４は、データストレージ部１１６の所定のストレージエリアへのアクセスを許可するという判定をする。
【０２２１】
第１の制御部１１２は、判定部１１７のアクセス許可判定部１１７４の判定結果に基づき、第１の情報処理装置１３０Ａのデータストレージ部１１６へのアクセスを許可する（Ｓ２１１）。
【０２２２】
第１の制御部１１２は、第１の通信部１１１に、第１の情報処理装置１３０Ａに対してアクセス許可通知を送信させる（Ｓ２１２）。
【０２２３】
第２の制御部１３２は、第２の通信部１３１がアクセス許可通知を受信すると（Ｓ２１３）、表示部１３４に、データストレージ部１１６の所定のストレージエリアに作成されているＢＯＸのタイトル名の一覧を表示させる（図示せず）。
【０２２４】
一覧表示されたＢＯＸからオープンモードに設定されているＢＯＸが管理者により選択されると、第１の制御部１１２は、表示部１３４に、図８（Ｂ）に示すように、ＢＯＸ番号、「ファイルを追加する」のボタン１７９、選択されたＢＯＸ内に保存されているファイル名を羅列して表示させる。
【０２２５】
管理者は、表示されたファイル名をタップして選択することにより、そのファイルを参照することができる。
【０２２６】
図８（Ｂ）において、ＢＯＸはオープンモードに設定されているので、「ファイルを追加する」のボタン１７９は有効となっている。管理者はボタン１７９をタップすることによりＢＯＸ内にファイルを保存することが可能となっている。また、ファイルを削除することも可能である。
【０２２７】
図１１は、「ファイルを追加する」のボタン１７９をタップした場合の表示画面を説明する図である。尚、図１１（Ａ）は図８（Ｂ）と同じ図面である。
【０２２８】
図１１（Ａ）の表示画面において、「ファイルを追加する」のボタン１７９がタップされると、第１の制御部１１２は、表示部１３４に、図１１（Ｂ）に示すように、追加するファイルの選択画面を表示させる。この選択画面に表示されるファイルは、データ記憶部１３７に記憶されているデータである。
【０２２９】
データ記憶部１３７に記憶されているデータは、例えばファイル名の末尾につけられている拡張子により、写真、音楽、動画、ドキュメント、テキスト等に分類分けされており、表示部１３４にはその分類が表示される。また、表示部１３４には、管理者により分類が選択されることにより、その分類に仕分けされたファイルが羅列して表示される。
【０２３０】
図１１（Ｃ）は図１１（Ｂ）の部分拡大図である。管理者は、羅列されたファイルからデータストレージ部１１６に保存するファイルを選択する。
【０２３１】
例えば、データストレージ部１１６にファイルを保存し、第１の情報処理装置１３０Ａのデータ記憶部１３７からファイルを削除する場合には、図１１（Ｃ）に示すように、対象のファイル名に指をおき、「移動」という表示に向かって右にスワイプ操作をすればよい。
【０２３２】
一方、データストレージ部１１６にファイルを保存し、データ記憶部１３７にもそのファイルを残したままにする場合には、図１１（Ｃ）に示すように、対象のファイル名に指をおき、「複写」という表示に向かって左にスワイプ操作をすればよい。
【０２３３】
このように、データストレージ部１１６に保存するファイルを、第１の情報処理装置１３０Ａに残すか削除するかの作業を、データストレージ部１１６へのデータの保存作業と同時に実行できるように構成してもよく、作業性がよい。
【０２３４】
ここでは、オープンモードに設定されているＢＯＸが選択された例をあげているので、ＢＯＸのオーナーが管理者であっても利用者であっても、データの参照、保存、削除をすることができる。
【０２３５】
一方、管理者以外の利用者がオーナーとなって作成された参照モードに設定されたＢＯＸが選択された場合は、管理者はそのＢＯＸのオーナーではないので、ＢＯＸ内のファイルを参照することはできるが、ファイルの保存や削除をすることはできない。この場合、図８（Ｃ）に示すように、表示部１３４には、「ファイルを追加する」のボタン１７９がタップできないよう無効となった画面が表示される。
【０２３６】
また、管理者以外の利用者がオーナーとなって作成され、排他モードに設定されたＢＯＸが選択された場合は、管理者はそのＢＯＸのオーナーではないので、ＢＯＸ内のファイルの参照、保存、削除をすることはできない。この場合、図９（Ｂ）に示すように、表示部１３４には、「このＢＯＸは共有されていません」と表示される。
【０２３７】
また、管理者がオーナーとなって作成され、参照モード又は排他モードに設定されたＢＯＸが選択された場合は、管理者はそのＢＯＸのオーナーであるので、ＢＯＸ内のファイルの参照、保存、削除をすることができる。
【０２３８】
この場合、図９（Ａ）に示すように、ＢＯＸ番号、「ファイルを追加する」のボタン１７９、選択されたＢＯＸ内に保存されているファイル名を羅列して表示させる。「ファイルを追加する」のボタン１７９は有効となっており、管理者はボタン１７９をタップすることによりＢＯＸ内のファイルの参照、保存、削除をすることができる。
【０２３９】
次に、管理者によって、管理設定の変更がなされる場合について説明する。管理設定を変更する場合、図５において「ＢＯＸ管理設定」のボタン１７２が選択される。
【０２４０】
ＢＯＸ管理設定により、ＢＯＸのタイトル名、オーナーの名前、公開レベル等を変更することが可能である。ここでは、公開レベルの変更について説明するが、ＢＯＸのタイトル名、オーナー名等も変更可能に設定できる。
【０２４１】
図５に示す表示画面で「ＢＯＸ管理設定」のボタン１７２が管理者により選択されると、上述のＳ２０６〜Ｓ２１３のステップが実行され、データストレージ部へのアクセス要求とＢＯＸ管理設定要求がなされる。Ｓ２１３でアクセス許可を受信すると、第２の制御部１３２は、表示部１３４に、図１２（Ａ）に示すように、所定のストレージエリアに作成されているＢＯＸ名を一覧表示させる。
【０２４２】
表示部１３４には、「あなたの作ったＢＯＸ」の欄と「あなたの参加したＢＯＸ」の欄が表示される。「あなたの作ったＢＯＸ」の欄には、管理者がオーナーとなって作成したＢＯＸ名が表示される。「あなたの参加したＢＯＸ」の欄には、利用者がオーナーとなって作成したＢＯＸであって、管理者がアクセスしてファイルを参照したり保存したりなどして作業に係ったＢＯＸ名が表示される。
【０２４３】
ＢＯＸ管理設定の変更は、ＢＯＸのオーナーのみが実行可能である。すなわち「あなたの作ったＢＯＸ」の欄に表示されるＢＯＸのみ、管理設定の変更ができる。
【０２４４】
管理者により図１２（Ａ）の表示画面上で管理設定を変更したいＢＯＸ名がタップされると、第２の制御部１３２は、表示部１３４に、図１２（Ｂ）に示すように、ＢＯＸ情報の詳細を表示させる。ＢＯＸ情報は、ＢＯＸ番号、オーナー名、タイトル名、セキュリティ設定、保存可能な残容量等である。
【０２４５】
管理者によって、セキュリティ設定の変更用ボタンがタップされると、第２の制御部１３２は、表示部１３４に、図１３に示すように、公開レベルに係る事項を表示させる。例えば、利用者全員又は利用者毎の公開レベルのモード設定画面が表示される。
【０２４６】
図１３において、開放は、ＢＯＸ内のデータの参照、保存、削除が可能なオープンモードであることを示す。参照は、ＢＯＸ内のデータの参照のみが可能であり保存及び削除はできない参照モードであることを示す。排他は、ＢＯＸ内のデータの参照、保存、削除のいずれもできない排他モードであることを示す。
【０２４７】
管理者は、利用者全員又は利用者毎の公開レベルのモードを変更することができる。
【０２４８】
（利用者使用時の動作）
次に、ＮＦＣシール２００の利用者が、ＮＦＣシール２００の管理者が使用した第１の情報処理装置１３０Ａとは異なる第２の情報処理装置１３０Ｂを用いて、ＮＦＣシール２００を用いる場合について説明する。
【０２４９】
以下、図５、図７〜９、図１１〜１３を用いて説明する。図８（Ｃ）は、ＢＯＸのオーナーが第２の情報処理装置１３０Ｂのユーザである利用者ではなく、ＢＯＸが参照モードに設定されている場合に表示される表示画面である。
【０２５０】
図９（Ａ）は、ＢＯＸのオーナーが第２の情報処理装置１３０Ｂのユーザである利用者で、ＢＯＸが参照モード又は排他モードに設定されている場合に表示される表示画面である。図９（Ｂ）は、ＢＯＸのオーナーが第２の情報処理装置１３０Ｂのユーザである利用者ではなく、ＢＯＸが排他モードに設定されている場合に表示される表示画面である。
【０２５１】
以下、図７に従って説明する。
まず、利用者は、アプリケーションプログラム１３５１を第２の情報処理装置１３０Ｂにインストールする。
【０２５２】
利用者によりインストールされたアプリケーションプログラム１３５１が初めて実行されると、第２の制御部１３２は、図示しない初期登録設定画面を表示部１３４に表示させる。ユーザが初期登録設定画面で個人情報等の入力項目への入力を終え初期登録を実行する選択をする（Ｓ２０１）。
【０２５３】
第２の制御部１３２は、第２の通信部１３１に、通信網１２０を介してサーバ装置１１０へ第２の情報処理装置１３０Ｂの固体認識番号の情報、個人情報等とともに初期登録の要求を送信させる。
【０２５４】
サーバ装置１１０の第１の通信部１１１は第２の情報処理装置１３０Ｂからの要求を受信する。第１の制御部１１２は、この要求に従って、ＩＤ生成部１１４に、受信した固体認識番号及び個人情報を基に第２の情報処理装置１３０Ｂの固有ユーザを特定する会員ＩＤ１３５４Ｂを生成させる（Ｓ２０２）。
【０２５５】
更に、第１の制御部１１２は、ＩＤ生成部１１４に、受信した固体認識番号を基に第２の情報処理装置１３０Ｂの認識番号としてのアプリケーションＩＤ１３５２Ｂを生成させる（Ｓ２０３）。アプリケーションＩＤは異なる情報処理装置毎に異なる番号で付与される。
【０２５６】
第１の制御部１１２は、第１の通信部１１１に、生成されたアプリケーションＩＤ１３５２Ｂを第２の情報処理装置１３０Ｂへ送信させる（Ｓ２０４）。第２の情報処理装置１３０ＢがアプリケーションＩＤ１３５２Ｂを受信することにより、第２の情報処理装置１３０ＢにアプリケーションＩＤ１３５２Ｂが付与される（Ｓ２０５）。
【０２５７】
これにより第２の情報処理装置１３０Ｂの初期登録が完了する。尚、既に第２の情報処理装置１３０ＢがアプリケーションＩＤを保有している場合には、初期登録に係るＳ２０１〜Ｓ２０５のステップは飛ばされる。
【０２５８】
利用者の初期登録が完了すると、第２の制御部１３２は、表示部１３４に、図５に示す作業選択画面を表示させる。図５に示すように、表示部１３４には、「ＢＯＸを作る」、「ＢＯＸを見る」、「ＢＯＸ管理設定」の３つの選択ボタンが表示される。
【０２５９】
利用者によって新たなＢＯＸが作成される場合、「ＢＯＸを作る」という作業が選択される。「ＢＯＸを作る」という作業が選択された場合の動作については、上述のＳ１０６〜Ｓ１１８と同様のため、ここでは説明を省略する。
【０２６０】
ここでは、ＮＦＣシール２００は管理者及び利用者のアクセスが可能という権限を有している場合を例にあげているので、上述のＳ１０６〜Ｓ１１８と同様のステップで、利用者もＢＯＸを作ることが可能である。
【０２６１】
一方、管理者のみアクセスが可能という権限を有するＮＦＣシール２００を用いる場合では、「ＢＯＸを作る」という作業が選択されると、上述のＳ２０６〜Ｓ２１０のステップが実行される。
【０２６２】
この場合、Ｓ２０８で種別番号２０２１を基にアクセス権限の種類が判別され、Ｓ２１０でユーザが管理者か利用者が確認される。Ｓ２０８で管理者のみアクセスが可能と判別され、Ｓ２１０でユーザが利用者であると確認されると、アクセス許可判定部１１７４は、第２の情報処理装置１３０Ｂによるデータストレージ部１１６へのアクセスを許可しない判定をする。
【０２６３】
判定部１１７のアクセス許可判定部１１７４によりアクセスを許可しない判定がなされると、第１の制御部１１２は、第２の情報処理装置１３０Ｂに対して、表示部１３４に、「こちらのＮＦＣシールは使えません」の通知を表示させる指示を送信する。
【０２６４】
次に、「ＢＯＸを見る」という作業が利用者により選択されると、上述のＳ２０６〜Ｓ２１３のステップが実行される。
【０２６５】
第２の制御部１３２は、第２の通信部１３１がアクセス許可通知を受信すると（Ｓ２１３）、表示部１３４に、データストレージ部１１６内に作成されているＢＯＸの一覧を表示させる（図示せず）。
【０２６６】
オープンモードに設定されているＢＯＸが利用者により選択されると、第１の制御部１１２は、表示部１３４に、図８（Ｂ）に示すように、選択されたＢＯＸ内に保存されているファイル名を羅列して表示させる。
【０２６７】
利用者は、表示されたファイル名をタップして選択することにより、そのファイルを参照することができる。また、オープンモードのＢＯＸを見る場合では、図８（Ｂ）に示すように、「ファイルを追加する」のボタン１７９が有効となっており、利用者はボタン１７９を選択することによりＢＯＸにファイルの保存をすることが可能となっている。また、ファイルを削除することも可能である。
【０２６８】
第２の情報処理装置１３０Ｂを操作している利用者以外がオーナーのＢＯＸであって、参照モードに設定されているＢＯＸが利用者により選択されると、第１の制御部１１２は、第２の情報処理装置１３０Ｂの表示部１３４に、図８（Ｃ）に示すように、選択されたＢＯＸ内に保存されているファイル名を羅列して表示させる。
【０２６９】
図８（Ｃ）において、「ファイルを追加する」のボタン１７９は無効となっており、ＢＯＸへのファイルの保存、削除が不可能となっている。利用者は、表示されたファイル名をタップして選択することにより、そのファイルを参照することだけができる。
【０２７０】
また、第２の情報処理装置１３０Ｂを操作している利用者以外がオーナーのＢＯＸであって、排他モードに設定されているＢＯＸが利用者により選択されると、図９（Ｂ）に示すように、表示部１３４には「このＢＯＸは共有されていません」と表示される。利用者は、ＢＯＸ内のファイルの参照、保存、削除をすることはできない。
【０２７１】
また、第２の情報処理装置１３０Ｂを操作している利用者がオーナーとなって作成され、参照モード又は排他モードに設定されたＢＯＸが選択された場合は、利用者はそのＢＯＸのオーナーであるので、ＢＯＸ内のファイルの参照、保存、削除をすることができる。
【０２７２】
この場合、図９（Ａ）に示すように、ＢＯＸ番号、「ファイルを追加する」のボタン１７９、選択されたＢＯＸ内に保存されているファイル名を羅列して表示させる。「ファイルを追加する」のボタン１７９は有効となっており、管理者はボタン１７９をタップすることによりＢＯＸ内のファイルの参照、保存、削除をすることができる。
【０２７３】
ここでは、ＮＦＣシール２００は管理者及び利用者のアクセスが可能という権限を有している場合を例にあげているが、管理者のみアクセスが可能という権限を有するＮＦＣシール２００を用いる場合、「ＢＯＸを作る」という作業が選択されると、上述のＳ２０６〜Ｓ２１０のステップが実行される。
【０２７４】
この場合、Ｓ２０８で種別番号２０２１を基にアクセス権限の種類が判別され、Ｓ２１０でユーザが管理者か利用者が確認される。Ｓ２０８で管理者のみアクセスが可能と判別され、Ｓ２１０でユーザが利用者であると判別されると、第１の制御部１１２は、第２の情報処理装置１３０Ｂに対して、表示部１３４に、「こちらのＮＦＣシールは使えません」の通知を表示させる指示を送信する。
【０２７５】
次に、「ＢＯＸ管理設定」という作業が利用者により選択されると、上述のＳ２０６〜Ｓ２１３のステップが実行される。
【０２７６】
第２の制御部１３２は、第２の通信部１３１がアクセス許可通知を受信すると（Ｓ２１３）、表示部１３４に、図１２（Ａ）に示すように、所定のストレージエリアに作成されているＢＯＸ名を表示させる。
【０２７７】
表示部１３４には、「あなたの作ったＢＯＸ」の欄と「あなたの参加したＢＯＸ」の欄が表示される。上述した管理者によるＢＯＸ管理設定と同様に、「あなたの作ったＢＯＸ」の欄に表示されるＢＯＸ、すなわち、現在、第２の情報処理装置１３０Ｂを操作している利用者がオーナーとなっているＢＯＸのみ、利用者は管理設定の変更ができる。
【０２７８】
一方、管理者のみアクセスが可能という権限を有するＮＦＣシール２００を用いる場合では、「ＢＯＸ管理設定」という作業が選択されると、上述のＳ２０６〜Ｓ２１０のステップが実行される。
【０２７９】
この場合、Ｓ２０８で種別番号２０２１を基にアクセス権限の種類が判別され、Ｓ２１０でユーザが管理者か利用者が確認される。Ｓ２０８で管理者のみアクセスが可能と判別され、Ｓ２１０でユーザが利用者であると判別されると、第１の制御部１１２は、第２の情報処理装置１３０Ｂに対して、表示部１３４に、「こちらのＮＦＣシールは使えません」の通知を表示させるように、送信する。
【０２８０】
以上のように、サーバ装置１１０のデータストレージ部１１６へアクセスするためには、ＮＦＣシール２００と情報処理装置１３０との近距離無線通信が必要であるので、ＮＦＣシール２００の現物が管理者又は利用者の手元にある必要がある。更に、ＮＦＣシールはＱＲコードのように容易に複製ができないので、物理的にデータストレージ部へのアクセスが制限される。これにより、データストレージ部１１６に保存されるデータ情報の漏えいリスクを抑制することができる。
【０２８１】
また、データストレージ部１１６に作成するＢＯＸ（データ保存場所）の公開レベルをＢＯＸのオーナーにより任意に設定できるので、例えば保存するデータの内容の重要度によって、ユーザは、ＮＦＣシールの種類及びＢＯＸの公開レベルの設定を選択することができる。
【０２８２】
また、ＮＦＣシール２００の管理者のみ、ＮＦＣシール２００の現物に近距離無線通信をしなくとも、データストレージ部１１６へアクセス可能となるようにしてもよい。
【０２８３】
この場合、ＮＦＣシール２００の種別番号２０２１及び固有番号２０２２が予め管理者に通知されるように設定すればよい。管理者は、ＮＦＣシール２００を用いてこのＮＦＣシール２００に対応するデータストレージ部１１６へ最初にアクセスした情報処理装置１３０を用い、通知されていた種別番号２０２１と固有番号２０２２を入力する。
【０２８４】
そして、種別番号２０２１と固有番号２０２２と情報処理装置に付与されているアプリケーションＩＤ１３５２をサーバ装置１１０へ送信することによって、ＮＦＣシール２００との近距離無線通信なしに情報処理装置１３０によるデータストレージ部１１６へのアクセスが可能となるようにすればよい。
【０２８５】
［情報処理システムの活用例］
上述の情報処理システムの具体的な活用例を図１８〜図２１を用いて説明する。
【０２８６】
図１８は、学生時代の個人へのメッセージが記載された色紙３０１にＮＦＣシール２００を貼り付けた活用例である。色紙３０１に貼りつけられているＮＦＣシール２００に対応するサーバ装置のデータストレージ部１１６には、例えば、色紙３０１に関連するクラス写真などの画像ファイル、合唱コンクールなどの映像ファイルなどのデータが格納される。
【０２８７】
図１９は、音楽ＣＤ３０２にＮＦＣシール２００を貼り付けた活用例である。音楽ＣＤ３０２に貼りつけられているＮＦＣシール２００に対応するサーバ装置のデータストレージ部１１６には、例えば、音楽ＣＤ３０２に関連する楽譜などのＰＤＦファイル、音声ファイル、個人の感想が入った文書ファイルなどのデータが保存される。
【０２８８】
図２０は、手帳３０３にＮＦＣシール２００を貼り付けた活用例である。手帳３０３に貼りつけられているＮＦＣシール２００に対応するサーバ装置のデータストレージ部１１６には、例えば、手帳３０３に関連する名刺などのＰＤＦファイル、仕事に関連する文書ファイル、表計算ファイル、プレゼンテーションファイル（プレゼンファイル）等のデータが保存される。
【０２８９】
図２１は、パーソナルコンピュータ３０４にＮＦＣシール２００を貼り付けた活用例である。パーソナルコンピュータ３０４に貼りつけられているＮＦＣシール２００に対応するサーバ装置のデータストレージ部１１６には、例えば、仕事に関する議事録ファイル、すべきことを記載した文書ファイル、思いついたアイデア等を記載した文書ファイル等のデータが保存される。
【０２９０】
このように、ＮＦＣシール２００が貼りつけられる対象物に関連する各種データを、ＮＦＣシール２００により特定されるデータストレージ部のストレージエリアに保存して、情報を管理することができる。尚、ＮＦＣシール２００を貼りつける場所はユーザにより任意に決められる。
【０２９１】
そして、情報処理装置１３０をＮＦＣシール２００にかざし近距離無線通信を行い、このＮＦＣシール２００に対応するデータストレージ部１１６のストレージエリアへの各種データの参照、保存、削除を行うことができる。
【０２９２】
以上、本技術の各実施形態について説明したが、本技術は上述の実施形態にのみ限定されるものではなく、本技術の要旨を逸脱しない範囲内において種々変更を加え得ることは勿論である。
【０２９３】
例えば、上述の実施形態においては、情報処理装置を識別する識別子としてアプリケーションＩＤを用いる例をあげたが、これに限定されない。例えば機器ＩＤ（又は機器識別番号）を用いても良い。
【０２９４】
機器ＩＤ（又は機器識別番号）は、異なる情報処理装置を識別可能に情報処理装置毎にサーバ装置により初期登録時に付与される識別子である。機器ＩＤにより、上述のアプリケーションＩＤを用いる場合と同様に、アクセスしてきた情報処理装置が利用者であるか管理者であるかを判別可能となる。
【０２９５】
また、異なる情報処理装置を識別する識別子の代わりに、異なるユーザを識別するユーザ識別子としてのユーザＩＤ（又はユーザ識別番号）を用いてもよい。ユーザＩＤを用いて、アクセスしてきた情報処理装置のユーザが利用者であるか管理者であるかを判別可能である。
【０２９６】
ユーザＩＤは、異なるユーザを識別可能に、ユーザ毎に、サーバ装置により初期登録時に付与される識別子である。ユーザＩＤを用いることにより、アクセスしてきた情報処理装置が異なっていても同じユーザであれば、ユーザは、そのユーザがＮＦＣシールに初めてアクセスしたときの立場と同じ立場でアクセスすることができる。ここで、立場とは、管理者の立場か利用者の立場かのことを示す。
【０２９７】
ユーザＩＤを用いる場合、アクセスの権限には、ＮＦＣシール（通信機器）を用いて最初にデータストレージ部へアクセスした情報処理装置の第１のユーザのみによるデータストレージ部へのアクセス許可と、ＮＦＣシール（通信機器）を用いて２回目以降にデータストレージ部へアクセスした第１のユーザとは異なる第２のユーザと第１のユーザとによるデータストレージ部へのアクセス許可、とがある。
【０２９８】
ユーザＩＤを用いる場合、確認部１１７３では、データストレージ部１１６へのアクセスを要求する情報処理装置のユーザが、ＮＦＣシール（通信機器）２００を用いて最初にデータストレージ部１１６へアクセスした情報処理装置の第１のユーザであるか、又は、ＮＦＣシール２００を用いて２回目以降にデータストレージ部１１６へアクセスした第１のユーザとは異なる第２のユーザであるかが確認される。第１のユーザは管理者であり、第２のユーザは利用者である。
【０２９９】
また、識別子を生成する識別子生成部としてのＩＤ生成部１１４は、情報処理装置１３０からの要求により、ユーザＩＤを生成する。尚、上述の実施形態における会員ＩＤをユーザＩＤとして用いても良い。
【０３００】
ユーザＩＤを用いる場合、初期登録時にユーザＩＤが生成され、ユーザに付与される。アクセス時に、ユーザにより、ユーザに付与されたユーザＩＤが情報処理装置１３０に入力されると、ユーザＩＤの情報はサーバ装置１１０に送信される。
【０３０１】
第１の通信部１１１は、種別番号２０２１と固有番号２０２２とユーザＩＤを受信する。第１の制御部１１２は、種別番号２０２１と固有番号２０２２とユーザＩＤを基に、情報処理装置によるデータストレージ部１１６へのアクセスを制御する。
【０３０２】
このように、ユーザ識別子としてのユーザＩＤを用いて、管理者であるか利用者であるかが確認されるので、ユーザ毎のアクセスの制限を制御することが可能となる。
【０３０３】
また、ユーザＩＤを用いる場合、同じユーザであれば、異なった情報処理装置からも、ＮＦＣシール２００を用いて初めてアクセスした時と同じ立場でＮＦＣシールを用いてデータストレージ部へアクセスすることができる。尚、初めてアクセスした時というのは、初期登録の時である。
【０３０４】
以上のように、情報処理装置を特定できる情報処理装置識別子として、アプリケーションＩＤ（又はアプリケーション識別番号）の他、機器ＩＤ（又は機器識別番号）等を用いることができる。また、ユーザを特定できるユーザ識別子としてユーザＩＤ（又はユーザ識別番号）等を用いることができる。
【０３０５】
また、図８（Ｂ）では、ＢＯＸ内のファイルを羅列したＵＩデザインを例にあげたが、図１４〜図１７のようなＵＩデザインで表示してもよい。また、上述で説明した表示部１３４に表示されるＵＩデザインは例であり、これらに限定されるものではない。
【０３０６】
なお、本技術は以下のような構成もとることができる。
（１）データストレージ部を有するサーバ装置と通信を行う通信部と、
前記データストレージ部のエリアを特定する識別子又は前記データストレージ部へのアクセスの権限を示す識別子と、自身を識別する通信機器識別子とを有する通信機器と、近距離無線通信を行う近距離無線通信部と、
前記近距離無線通信部に、前記エリア特定識別子又は前記アクセスの権限を示す識別子と、前記通信機器識別子とを取得させ、前記通信部に、前記エリア特定識別子又は前記アクセスの権限を示す識別子と、前記通信機器識別子を前記サーバ装置へ送信させ前記データストレージ部へのアクセス許可の要求をする制御部と
を具備する情報処理装置。
（２）前記（１）に記載の情報処理装置であって、
前記制御部は、前記通信部に、前記サーバ装置により付与された前記情報処理装置又は情報処理装置のユーザを識別する識別子を取得させ、前記近距離無線通信部に、前記エリア特定識別子又は前記アクセスの権限を示す識別子と、前記通信機器識別子と、前記情報処理装置又はユーザを識別する識別子とを前記サーバ装置へ送信させ前記データストレージ部へのアクセス許可の要求をする
情報処理装置。
（３）前記（１）又は（２）に記載の情報処理装置であって、
前記アクセスの権限には、前記通信機器を用いて最初に前記データストレージ部へアクセスした第１の情報処理装置のみによる前記データストレージ部へのアクセス許可と、前記通信機器を用いて２回目以降に前記データストレージ部へアクセスした前記第１の情報処理装置とは異なる第２の情報処理装置と、前記第１の情報処理装置とによる前記データストレージ部へのアクセス許可とがある
情報処理装置。
（４）前記（１）又は（２）に記載の情報処理装置であって、
請求項２に記載の情報処理装置であって、
前記アクセスの権限には、前記通信機器を用いて最初に前記データストレージ部へアクセスした情報処理装置の第１のユーザのみによる前記データストレージ部へのアクセス許可と、前記通信機器を用いて２回目以降に前記データストレージ部へアクセスした第１のユーザとは異なる第２のユーザと前記第１のユーザとによる前記データストレージ部へのアクセス許可とがある
情報処理装置。
（５）前記（１）〜（４）のいずれか１つに記載の情報処理装置であって、
前記情報処理装置がアクセス可能な前記データストレージ部のエリアは、前記エリア特定識別子又は前記アクセスの権限を示す識別子と、前記通信機器識別子とにより特定される
情報処理装置。
（６）前記（１）〜（５）のいずれか１つに記載の情報処理装置であって、
データを記憶するデータ記憶部を更に具備し、
前記制御部は、前記通信部に、前記エリア内に公開レベルを設定したデータ保存場所を作成する要求を前記サーバ装置へ送信させ、前記要求を基に前記サーバ装置により作成された前記データ保存場所への前記データの保存の実行を制御する
情報処理装置。
（７）前記（６）に記載の情報処理装置であって、
請求項６に記載の情報処理装置であって、
前記制御部は、前記通信部に、前記データ保存場所に設定する公開レベル情報を前記サーバ装置へ送信させる
情報処理装置。
（８）前記（６）又は（７）に記載の情報処理装置であって、
表示部を更に具備し、
前記制御部は、前記データ保存場所に保存されたデータの前記表示部への表示の実行を制御する
情報処理装置。
（９）前記（１）〜（８）のいずれか１つに記載の情報処理装置であって、
前記近距離無線通信は、ＮＦＣ通信である
情報処理装置。
（１０）情報処理装置と近距離無線通信を行う通信アンテナと、
前記情報処理装置がアクセス可能なサーバ装置のデータストレージ部のエリアを特定するために用いられる前記データストレージ部のエリアを特定する識別子又は前記データストレージ部へのアクセスの権限を示す識別子と、自身を識別する通信機器識別子とを有するＩＣチップと
を具備する通信機器。
（１１）前記（１０）に記載の通信機器であって、
一方の面に粘着材層を有するラベルシールを更に具備し、
前記ラベルシールの中に前記通信アンテナと前記ＩＣチップとが組み込まれる
通信機器。
（１２）前記（１１）に記載の通信機器であって、
前記ラベルシールの他方の面は前記データストレージ部へのアクセスの権限を示す識別子に対応する図柄を備える
通信機器。
（１３）前記（１１）又は（１２）に記載の通信機器であって、
前記ラベルシールの他方の面は前記データストレージ部に保存されるデータの内容に関連する図柄を備える
通信機器。
（１４）データを保存するデータストレージ部と、
前記データストレージ部のエリアを特定する識別子又は前記データストレージ部へのアクセスの権限を示す識別子と、自身を識別する通信機器識別子とを有する通信機器と近距離無線通信を行う情報処理装置を介して、前記エリア特定識別子又は前記アクセスの権限を示す識別子と、前記通信機器識別子を受信する受信部と、
前記データストレージ部へのアクセス許可の要求を前記情報処理装置から受信し、前記エリア特定識別子又は前記アクセスの権限を示す識別子と、前記通信機器識別子とを基に、前記情報処理装置による前記データストレージ部へのアクセスを制御する制御部と
を具備するサーバ装置。
（１５）前記（１４）に記載のサーバ装置であって、
前記情報処理装置からの要求により、前記情報処理装置又は前記情報処理装置のユーザに対して付与する前記情報処理装置又は前記ユーザを識別する識別子を生成する識別子生成部
を更に具備し、
前記受信部は、前記情報処理装置を識別する識別子が付与された前記情報処理装置から前記情報処理装置識別子、又は、前記ユーザを識別する識別子が付与された前記ユーザにより入力された前記ユーザ識別子を受信し、
前記制御部は、前記エリア特定識別子又は前記アクセスの権限を示す識別子と、前記通信機器識別子と、前記情報処理装置識別子又は前記ユーザ識別子とを基に、前記情報処理装置による前記データストレージ部へのアクセスを制御する
を具備するサーバ装置。
（１６）前記（１４）又は（１５）に記載のサーバ装置であって、
前記エリア特定識別子又は前記アクセスの権限を示す識別子と、前記通信機器識別子とにより、前記データストレージ部の前記情報処理装置によるアクセスが可能なエリアが特定される
サーバ装置。
（１７）前記（１４）〜（１６）のいずれか１つに記載のサーバ装置であって、
前記データストレージ部へのアクセスを要求する情報処理装置が、前記通信機器を用いて最初に前記データストレージ部へアクセスした第１の情報処理装置であるか、又は、前記通信機器を用いて２回目以降に前記データストレージ部へアクセスした前記第１の情報処理装置以外の第２の情報処理装置であるかを確認する確認部
を更に具備するサーバ装置。
（１８）前記（１４）〜（１６）のいずれか１つに記載のサーバ装置であって、
前記データストレージ部へのアクセスを要求する情報処理装置のユーザが、前記通信機器を用いて最初に前記データストレージ部へアクセスした情報処理装置の第１のユーザであるか、又は、前記通信機器を用いて２回目以降に前記データストレージ部へアクセスした前記第１のユーザとは異なる第２のユーザであるかを確認する確認部
を更に具備するサーバ装置。
（１９）サーバ装置のデータストレージ部のエリアを特定する識別子又は前記データストレージ部へのアクセスの権限を示す識別子と、自身を識別する通信機器識別子とを有する通信機器から、近距離無線通信により、前記エリア特定識別子又は前記アクセスの権限を示す識別子と、前記通信機器識別子を取得し、
前記エリア特定識別子又は前記アクセスの権限を示す識別子と、前記通信機器識別子とを前記サーバ装置に送信し、前記データストレージ部へのアクセスを要求する
情報処理方法。
（２０）情報処理装置が、サーバ装置のデータストレージ部のエリアを特定する識別子又は前記データストレージ部へのアクセスの権限を示す識別子と、自身を識別する通信機器識別子とを有する通信機器と近距離無線通信をして取得した前記エリア特定識別子又は前記アクセスの権限を示す識別子と、前記通信機器識別子とを、前記情報処理装置から取得し、
前記エリア特定識別子又は前記アクセスの権限を示す識別子と、前記通信機器識別子とに基づいて、前記データストレージ部への前記情報処理装置のアクセスを許可するか否かを判定する
情報処理方法。
【符号の説明】
【０３０７】
１１０…サーバ装置
１１１…第１の通信部（受信部）
１１２…第１の制御部（制御部）
１１４…ＩＤ生成部（識別子生成部）
１１６…データストレージ部
１１７…判定部
１３０…情報処理装置
１３１…第２の通信部（通信部）
１３２…第２の制御部（制御部）
１３３…近距離無線通信部
１３４…表示部
１３７…データ記憶部
２００…ＮＦＣシール（通信機器）
２０１…通信アンテナ
２０２…ＩＣチップ
２０３…ラベルシール
２０３ａ…他方の面
１１７３…確認部
１３５２…アプリケーションＩＤ（情報処理装置識別子）
２０２１…種別番号（エリア特定識別子であってアクセスの権限を示す識別子）
２０２２…固有番号（通信機器識別子）
【図１】
2019039108.tif 000003
【図２】
2019039108.tif 000004
【図３】
2019039108.tif 000005
【図４】
2019039108.tif 000006
【図５】
2019039108.tif 000007
【図６】
2019039108.tif 000008
【図７】
2019039108.tif 000009
【図８】
2019039108.tif 000010
【図９】
2019039108.tif 000011
【図１０】
2019039108.tif 000012
【図１１】
2019039108.tif 000013
【図１２】
2019039108.tif 000014
【図１３】
2019039108.tif 000015
【図１４】
2019039108.tif 000016
【図１５】
2019039108.tif 000017
【図１６】
2019039108.tif 000018
【図１７】
2019039108.tif 000019
【図１８】
2019039108.tif 000020
【図１９】
2019039108.tif 000021
【図２０】
2019039108.tif 000022
【図２１】
2019039108.tif 000023
【国際調査報告】
2019039108.tif 000024
2019039108.tif 000025
2019039108.tif 000026
2019039108.tif 000027